(57)【特許請求の範囲】
【請求項１】
少なくとも第１のクライアント局と第２のクライアント局と第３のクライアント局とから成るピアツーピア（Ｐ２Ｐ）ワイヤレスネットワークの内の前記第１のクライアント局と前記第２のクライアント局との間に直接リンクを設定するための方法であって、
前記方法は、前記第１のクライアント局によって実施され、
前記方法は、
１つまたは複数のメトリックに基づいて前記Ｐ２Ｐワイヤレスネットワークのグループオーナ（ＧＯ）として前記第３のクライアント局を選択することと、
前記グループオーナ（ＧＯ）と、第１のＰ２Ｐワイヤレスリンクを介して通信することと、
(a)前記グループオーナ（ＧＯ）から前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較に少なくとも部分的に基づいて前記第１のクライアント局と前記第２のクライアント局の間にトンネリング直接リンク設定（ＴＤＬＳ）直接リンクを設定するかどうかを決定することと、
前記第１のクライアント局と前記第２のクライアント局の間に前記ＴＤＬＳ直接リンクを設定することと、
前記第２のクライアント局と直接、前記ＴＤＬＳ直接リンクを介して通信することとを備える、方法。
【請求項２】
前記ワイヤレスリンクは、ワイヤレスフィデリティ（Ｗｉ−Ｆｉ）リンクである、請求項１に記載の方法。
【請求項３】
前記ＴＤＬＳ直接リンクを設定することは、
ＴＤＬＳ設定リクエストを前記ＧＯに送ることと、
前記ＧＯからＴＤＬＳ設定レスポンスを受け取ることと、
前記ＧＯにＴＤＬＳ設定コンファメイションを送ることとを備える、請求項１に記載の方法。
【請求項４】
ＴＤＬＳ直接リンクを設定するかどうかを決定することは、ネットワーク条件に基づき、ＴＤＬＳ設定リクエストを生成することを備える、請求項１に記載の方法。
【請求項５】
前記ネットワーク条件は、前記ＧＯから受け取る信号強度と、前記第２のクライアント局から前記第２の受け取る信号強度と、前記ＧＯを介するカレントデータ転送速度と、または前記ＴＤＬＳ直接リンクを介する可能なデータ転送速度とを備える、請求項４に記載の方法。
【請求項６】
前記ネットワーク条件は、チャネル利用可能性を備える、請求項４に記載の方法。
【請求項７】
前記ネットワーク条件は、前記ＧＯを介する前記第２のクライアント局との通信のための送付待ち時間を備える、請求項４に記載の方法。
【請求項８】
第１のクライアント局と第２のクライアント局との間に直接リンクを設定するための方法であって、
前記方法は前記第１のクライアント局によって実施され、
前記方法は、
第１のピアツーピア（Ｐ２Ｐ）ワイヤレスリンクを介してグループオーナ（ＧＯ）と通信することと、
前記ＧＯからＴＤＬＳ設定リクエストを受け取ることと、(a）前記グループオーナ（ＧＯ）から前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較とに少なくとも部分的に基づいて前記第１のクライアント局と前記第２のクライアント局との間にトンネリング直接リンク設定（ＴＤＬＳ）直接リンクを設定するかどうかを決定することと、
前記第１のクライアント局と前記第２のクライアント局との間に前記ＴＤＬＳ直接リンクを設定することと、
前記ＴＤＬＳ直接リンクを介して前記第２のクライアント局と直接通信することとを備える、方法。
【請求項９】
前記ＴＤＬＳ直接リンクを設定することは、
前記ＧＯから前記ＴＤＬＳ設定リクエストを受け取ることと、
前記ＧＯにＴＤＬＳ設定レスポンスを送ることと、
前記ＧＯからＴＤＬＳ設定コンファメイションを受け取ることとを備える、請求項８に記載の方法。
【請求項１０】
前記ＴＤＬＳ設定リクエストと前記ＴＤＬＳ設定コンファメイションは、前記第２のクライアント局によって生成される、請求項９に記載の方法。
【請求項１１】
前記ＴＤＬＳ設定リクエストと前記ＴＤＬＳ設定コンファメイションは、前記ＧＯによって生成される、請求項９に記載の方法。
【請求項１２】
前記ＴＤＬＳ設定リクエストは、指定受信者と、前記ＴＤＬＳ直接リンクに関する情報とを備える、請求項３に記載の方法。
【請求項１３】
前記ＴＤＬＳ設定コンファメイションは、前記ＴＤＬＳ直接リンクのためのチャネルと、前記ＴＤＬＳ直接リンクのための周波数と、または前記ＴＤＬＳ直接リンクのためのタイミング構造とを備える、請求項３に記載の方法。
【請求項１４】
ＴＤＬＳ分解フレームを前記ＧＯから受け取ることをさらに備え、
前記ＴＤＬＳ分解フレームは、前記ＴＤＬＳ直接リンクを介する通信を終了させる、請求項１に記載の方法。
【請求項１５】
前記第２のクライアント局は、第２のＰ２Ｐ Ｗｉ−Ｆｉリンクを介して前記ＧＯと通信する、請求項２に記載の方法。
【請求項１６】
前記ＴＤＬＳ設定レスポンスは、ＴＤＬＳ直接リンクが、不許可であり、ＴＤＬＳ直接リンクは、設定されないことを示す、請求項３に記載の方法。
【請求項１７】
ＴＤＬＳ分解フレームを前記ＧＯから受け取ることをさらに備え、
前記ＴＤＬＳ分解フレームは、前記ＴＤＬＳ直接リンクを解除する、請求項１に記載の方法。
【請求項１８】
少なくとも第１のクライアント局と第２のクライアント局と第３のクライアント局とから成るピアツーピア（Ｐ２Ｐ）ワイヤレスネットワークのグループオーナにより直接リンクの設定を制御するための方法であって、
前記方法は、
１つまたは複数のメトリックに基づいて前記Ｐ２Ｐワイヤレスネットワークの前記グループオーナ（ＧＯ）として前記第１のクライアント局を選択することと、
前記第２のクライアント局と、第１のＰ２Ｐワイヤレスリンクを介して通信することと、
前記第３のクライアント局と、第２のＰ２Ｐワイヤレスリンクを介して通信することと、
(a）前記グループオーナ（ＧＯ）から前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較に少なくとも部分的に応答して第１のＴＤＬＳ設定リクエストを前記第２のクライアント局に送ることと、
第１のＴＤＬＳ設定レスポンスを前記第２のクライアント局から受け取ることと、
第１のＴＤＬＳ設定コンファメイションを前記第２のクライアント局に送ることとを備える、方法。
【請求項１９】
前記第１のＰ２Ｐワイヤレスリンクは、ワイヤレスフィデリティ（Ｗｉ−Ｆｉ）リンクであり、
前記第２のＰ２Ｐワイヤレスリンクは、Ｗｉ−Ｆｉリンクである、請求項１８に記載の方法。
【請求項２０】
前記第１のＴＤＬＳ設定リクエストは、前記第３のクライアント局から受け取り済であり、
前記第１のＴＤＬＳ設定コンファメイションは、前記第３のクライアント局から受け取り済であり、
前記第１のＴＤＬＳ設定レスポンスを前記第３のクライアント局に送ることをさらに備える、請求項１８に記載の方法。
【請求項２１】
グループオーナにより直接リンクの設定を制御するための方法であって、前記方法が、
第１のピアツーピア（Ｐ２Ｐ）ワイヤレスリンクを介して第１のクライアント局と通信することと、
第２のＰ２Ｐワイヤレスリンクを介して第２のクライアント局と通信することと、
第１のＴＤＬＳ設定リクエストを前記第１のクライアント局に送ることと、ここで前記第１のＴＤＬＳ設定リクエストが、(a）Ｐ２Ｐワイヤレスネットワークのグループオーナから前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較に少なくとも部分的に基づいて前記第２のクライアント局から受け取られ、
前記第１のクライアント局から第１のＴＤＬＳ設定レスポンスを受け取ることと、
第１のＴＤＬＳ設定コンファメイションを前記第１のクライアント局に送ることと、ここで前記第１のＴＤＬＳ設定コンファメイションは前記第２のクライアント局から受け取られ、
第１のＴＤＬＳ分解フレームを前記第１のクライアント局に送ることと、
第２のＴＤＬＳ分解フレームを前記第２のクライアント局に送ることと、
前記第１のＴＤＬＳ設定レスポンスを前記第２のクライアント局に送ることとを備える方法。
【請求項２２】
グループオーナによって直接リンクの設定を制御するための方法であって、前記方法が、
第１のピアツーピア（Ｐ２Ｐ）ワイヤレスリンクを介して第１のクライアント局と通信することと、
第２のＰ２Ｐワイヤレスリンクを介して第２のクライアント局と通信することと、
第１のＴＤＬＳ設定リクエストを前記第１のクライアント局に送ることと、ここで前記第１のＴＤＬＳ設定リクエストは、前記ＧＯによって生成され、
前記第１のクライアント局による、(a）前記ＧＯから前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較に少なくとも部分的に基づいて前記第１のクライアント局から第１のＴＤＬＳ設定レスポンスを受け取ることと、
前記第１のクライアント局に第１のＴＤＬＳ設定コンファメイションを送ることと、ここで前記第１のＴＤＬＳ設定コンファメイションは、前記ＧＯによって生成され、
第２のＴＤＬＳ設定リクエストを前記第２のクライアント局に送ることと、
第２のＴＤＬＳ設定レスポンスを前記第２のクライアント局から受け取ることと、
第２のＴＤＬＳ設定コンファメイションを前記第２のクライアント局に送ることとを備える、方法。
【請求項２３】
前記第１のクライアント局は、前記第２のＴＤＬＳ設定レスポンスの指定受信者であり、前記ＧＯは、前記第２のＴＤＬＳ設定レスポンスを前記第１のクライアント局に送付しない、請求項２２に記載の方法。
【請求項２４】
前記第２のＴＤＬＳ設定レスポンスは、前記第２のクライアント局によって生成される、請求項２２に記載の方法。
【請求項２５】
グループオーナ（ＧＯ）により直接リンクの設定を制御するための方法であって、前記方法が、
第１のピアツーピア（Ｐ２Ｐ）ワイヤレスリンクを介して第１のクライアント局と通信することと、
第２のＰ２Ｐワイヤレスリンクを介して第２のクライアント局と通信することと、
前記第１のクライアント局に第１のＴＤＬＳ設定リクエストを送ることと、
前記第１のクライアント局から第１のＴＤＬＳ設定レスポンスを受け取ることと、ここで前記第２のクライアント局は、前記第１のＴＤＬＳ設定レスポンスの指定受信者であり、前記第１のＴＤＬＳ設定レスポンスは前記ＧＯによって前記第２のクライアント局に送付されず、前記第１のＴＤＬＳ設定リクエストは、(a）前記グループオーナ（ＧＯ）から前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較に少なくとも部分的に基づいて、前記第１のクライアント局によって、決定され、
第１のＴＤＬＳ設定コンファメイションを前記第１のクライアント局に送ることとを備える方法。
【請求項２６】
前記第１のＴＤＬＳ設定レスポンスは、前記第２のクライアント局によって生成される、請求項１８に記載の方法。
【請求項２７】
少なくとも第１のクライアント局と第２のクライアント局と第３のクライアント局とから成るピアツーピア（Ｐ２Ｐ）ワイヤレスネットワークの中に直接リンクを設定するように構成されるワイヤレスデバイスであって、
プロセッサと、
前記プロセッサと電子的に通信状態にあるメモリと、
前記メモリ中に格納されるインストラクションであって、前記インストラクションは、
１つまたは複数のメトリックに基づいて前記Ｐ２Ｐワイヤレスネットワークのグループオーナ（ＧＯ）として前記第１のクライアント局を選択すること、
第１のＰ２Ｐワイヤレスリンクを介して前記ＧＯと通信すること、
(a）前記ＧＯから前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較に少なくとも部分的に基づいて第２のクライアント局と第３のクライアント局の間にトンネリング直接リンク設定（ＴＤＬＳ）直接リンクを設定するかどうかを決定すること、
前記第２のクライアント局と前記第３のクライアント局の間に前記ＴＤＬＳ直接リンクを設定すること、
前記第３のクライアント局と直接、前記ＴＤＬＳ直接リンクを介して通信することのために、前記プロセッサによって実行可能である、インストラクションとを備える、ワイヤレスデバイス。
【請求項２８】
前記第１のＰ２Ｐワイヤレスリンクは、ワイヤレスフィデリティ（Ｗｉ−Ｆｉ）リンクである、請求項２７に記載のワイヤレスデバイス。
【請求項２９】
前記ＴＤＬＳ直接リンクを設定することは、
ＴＤＬＳ設定リクエストを前記ＧＯに送ることと、
ＴＤＬＳ設定レスポンスを前記ＧＯから受け取ることと、
ＴＤＬＳ設定コンファメイションを前記ＧＯに送ることとを備える、請求項２７に記載のワイヤレスデバイス。
【請求項３０】
ＴＤＬＳ直接リンクを設定するかどうかを決定することは、ネットワーク条件に基づき、ＴＤＬＳ設定リクエストを生成することを備える、請求項２７に記載のワイヤレスデバイス。
【請求項３１】
前記ネットワーク条件は、前記ＧＯから受け取る信号強度と、前記第３のクライアント局から受け取る信号強度と、前記ＧＯを介するカレントデータ転送速度と、または前記ＴＤＬＳ直接リンクを介する可能なデータ転送速度とを備える、請求項３０に記載のワイヤレスデバイス。
【請求項３２】
前記ネットワーク条件は、チャネル利用可能性を備える、請求項３０に記載のワイヤレスデバイス。
【請求項３３】
前記ネットワーク条件は、前記ＧＯを介する前記第３のクライアント局との通信のための送付待ち時間を備える、請求項３０に記載のワイヤレスデバイス。
【請求項３４】
直接リンクを設定するためのワイヤレスデバイスであって、
プロセッサと、
前記プロセッサと電子的な通信状態にあるメモリと、
前記メモリに格納されていて前記プロセッサにより実行可能で、
第１のピアツーピア（Ｐ２Ｐ）ワイヤレスリンクを介してグループオーナ（ＧＯ）と通信すること、
第１のクライアント局と第２のクライアント局との間にトンネリング直接リンク設定（ＴＤＬＳ）直接リンクを設定するかどうかを、ＴＤＬＳ設定リクエストを前記ＧＯから受け取ることと、(a）前記グループオーナ（ＧＯ）から前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較とに少なくとも部分的に基づいて決定すること、
前記第１のクライアント局と前記第２のクライアント局との間に前記ＴＤＬＳ直接リンクを設定すること、
前記ＴＤＬＳ直接リンクを介して前記第２のクライアント局と直接に通信することのためのインストラクションとを備えるワイヤレスデバイス。
【請求項３５】
前記ＴＤＬＳ直接リンクを設定することは、
ＴＤＬＳ設定リクエストを前記ＧＯから受け取ることと、
ＴＤＬＳ設定レスポンスを前記ＧＯに送ることと、
ＴＤＬＳ設定コンファメイションを前記ＧＯから受け取ることとを備える、請求項３４に記載のワイヤレスデバイス。
【請求項３６】
前記ＴＤＬＳ設定リクエストと前記ＴＤＬＳ設定コンファメイションは、前記第３のクライアント局によって生成される、請求項３５に記載のワイヤレスデバイス。
【請求項３７】
前記ＴＤＬＳ設定リクエストと前記ＴＤＬＳ設定コンファメイションは、前記ＧＯによって生成される、請求項３５に記載のワイヤレスデバイス。
【請求項３８】
前記ＴＤＬＳ設定リクエストは、指定受信者と、前記ＴＤＬＳ直接リンクに関する情報とを備える、請求項２９に記載のワイヤレスデバイス。
【請求項３９】
前記ＴＤＬＳ設定コンファメイションは、前記ＴＤＬＳ直接リンクのためのチャネルと、前記ＴＤＬＳ直接リンクのための周波数と、または前記ＴＤＬＳ直接リンクのためのタイミング構造とを備える、請求項２９に記載のワイヤレスデバイス。
【請求項４０】
前記インストラクションは、ＴＤＬＳ分解フレームを前記ＧＯから受け取るために、さらに実行可能であり、
前記ＴＤＬＳ分解フレームは、前記ＴＤＬＳ直接リンクを介する通信を終了させる、請求項２７に記載のワイヤレスデバイス。
【請求項４１】
前記第３のクライアント局は、第２のＰ２Ｐ Ｗｉ−Ｆｉリンクを介して前記ＧＯと通信する、請求項２８に記載のワイヤレスデバイス。
【請求項４２】
前記ＴＤＬＳ設定レスポンスは、ＴＤＬＳ直接リンクが、不許可であり、ＴＤＬＳ直接リンクは、設定されないことを示す、請求項２９に記載のワイヤレスデバイス。
【請求項４３】
前記インストラクションは、ＴＤＬＳ分解フレームを前記ＧＯから受け取るために、さらに実行可能であり、
前記ＴＤＬＳ分解フレームは、前記ＴＤＬＳ直接リンクを解除する、請求項２７に記載のワイヤレスデバイス。
【請求項４４】
前記ワイヤレスデバイスは、前記第３のクライアント局から成る、請求項２７に記載のワイヤレスデバイス。
【請求項４５】
ピアツーピア（Ｐ２Ｐ）ワイヤレスネットワークの中に直接リンクを設定するように構成される第１のワイヤレスデバイスであって、
グループオーナ（ＧＯ）と、第１のピアツーピア（Ｐ２Ｐ）ワイヤレスリンクを介して通信するための手段と、ここで第１のクライアント局が１つまたは複数のメトリックに基づいて前記第１のピアツーピア（Ｐ２Ｐ）ワイヤレスリンクの前記ＧＯとして選択され、
(a）前記グループオーナ（ＧＯ）から前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較に少なくとも部分的に基づいて第２のクライアント局と第３のクライアント局の間にトンネリング直接リンク設定（ＴＤＬＳ）直接リンクを設定するかどうかを決定するための手段と、
前記第２のクライアント局と前記第３のクライアント局の間に前記ＴＤＬＳ直接リンクを設定するための手段と、
前記第３のクライアント局と直接、前記ＴＤＬＳ直接リンクを介して通信するための手段とを備える、ワイヤレスデバイス。
【請求項４６】
直接リンクを設定するように構成されるワイヤレスデバイスのための装置であって、
グループオーナ（ＧＯ）と、第１のピアツーピア（Ｐ２Ｐ）ワイヤレスリンクを介して通信することを開始すること、
(a）前記グループオーナ（ＧＯ）から前記第１のクライアント局に送信された第１のワイヤレス信号の第１の受け取る信号強度測定と(b)前記第２のクライアント局から前記第１のクライアント局に送信された第２のワイヤレス信号の第２の受け取る信号強度測定の比較に少なくとも部分的に基づいて第１のクライアント局と第２のクライアント局の間にトンネリング直接リンク設定（ＴＤＬＳ）直接リンクを設定するかどうかを決定すること、
前記第１のクライアント局と前記第２のクライアント局の間に前記ＴＤＬＳ直接リンクを設定すること、
前記第２のクライアント局と直接、前記ＴＤＬＳ直接リンクを介して通信することを開始することのために１つまたは複数のプロセッサにより実行可能なインストラクションを格納する非一時的なコンピュータ可読媒体を備える装置。
【発明の詳細な説明】
【技術分野】
【０００１】
本出願は、「ＷＩＦＩピアツーピアネットワークにおける直接リンク（DIRECT LINK IN A WIFI PEER TO PEER NETWORK）」と題する、２００９年８月１０日出願の米国仮特許出願第６１／２３２，５２７号に関連し、そしてそれに基づき優先権を主張するものであり、その出願は、参照によって、その全体が明確に組み込まれるものとする。
【０００２】
本開示は、一般に、ワイヤレス通信システムに関する。より具体的には、本開示は、ピアツーピア（Ｐ２Ｐ）ワイヤレスネットワークにおいて直接リンクを設定するためのシステムおよび方法に関する。
【背景技術】
【０００３】
ワイヤレス通信システムは、広く展開されて、音声、ビデオおよびデータなど、様々なタイプの通信コンテンツを提供している。これらのシステムは、１つまたは複数の基地局を備える多くのワイヤレス通信デバイスの同時通信をサポートすることが可能な多元接続システムとすることができる。
【０００４】
しばしば、２つ以上のワイヤレス通信デバイスは、ピアツーピア（Ｐ２Ｐ）ネットワークを形成することができる。ピアツーピアネットワークでは、ワイヤレス通信デバイスは、専用基地局なしに互いに直接データを転送することができる。いくつかの事例では、ワイヤレス通信デバイスの１つが、グループオーナ（ＧＯ）として振る舞うことができ、一方他のワイヤレス通信デバイスが、クライアント局として振る舞う。
【０００５】
各クライアント局は、グループオーナ（ＧＯ）とのリンクを形成して、グループオーナ（ＧＯ）と直接データを転送することができる。しばしば、データは、グループオーナ（ＧＯ）に送り、ついで他のワイヤレスデバイスに送付しなければならない。このように送付することは、遅延を生じて、ネットワークの効率を低下させ、さらに使用する通信時間を増加させる恐れがある。Ｐ２Ｐネットワークを向上させることによって利点を実現することができる。
【発明の概要】
【０００６】
ワイヤレス通信システムは、広く展開されて、音声、ビデオおよびデータなど、様々なタイプの通信コンテンツを提供している。これらのシステムは、１つまたは複数の基地局を備える多くのワイヤレス通信デバイスの同時通信をサポートすることが可能な多元接続システムとすることができる。
【０００７】
第１のクライアント局と第２のクライアント局の間に直接リンクを設定するための方法について述べる。この方法は、第１のクライアント局によって実施される。この方法は、第１のピアツーピア（Ｐ２Ｐ）ワイヤレスリンクを介してグループオーナ（ＧＯ）と通信することを含む。また、方法は、第１のクライアント局と第２のクライアント局の間にトンネリング直接リンク設定（ＴＤＬＳ: tunneled direct link setup）直接リンクを設定するかどうかを決定することを含む。ＴＤＬＳ直接リンクは、第１のクライアント局と第２のクライアント局の間に設定される。また、方法は、ＴＤＬＳ直接リンクを介して第２のクライアント局と直接通信することを含む。
【０００８】
ワイヤレスリンクは、ワイヤレスフィデリティ（Ｗｉ−Ｆｉ）リンクとすることができる。ＴＤＬＳ直接リンクを設定することは、ＴＤＬＳ設定リクエストをＧＯに送ることと、ＧＯからＴＤＬＳ設定レスポンスを受け取ることと、ＴＤＬＳ設定コンファメイションをＧＯに送ることとを含むことができる。ＴＤＬＳ直接リンクを設定するかどうかを決定することは、ネットワーク条件に基づき、ＴＤＬＳ設定リクエストを生成することを含むことができる。
【０００９】
ネットワーク条件は、ＧＯから受け取る信号強度と、第２のクライアント局から受け取る信号強度と、ＧＯを介するカレントデータ転送速度と、またはＴＤＬＳ直接リンクを介する可能なデータ転送速度とを含むことができる。また、ネットワーク条件は、チャネル利用可能性と、ＧＯを介する第２のクライアント局との通信のための送付待ち時間とを含むことができる。ＴＤＬＳ直接リンクを設定するかどうかを決定することは、ＧＯからＴＤＬＳ設定リクエストを受け取ることを含むことができる。
【００１０】
ＴＤＬＳ直接リンクを設定することは、ＧＯからＴＤＬＳ設定リクエストを受け取ることと、ＴＤＬＳ設定レスポンスをＧＯに送ることと、ＴＤＬＳ設定コンファメイションをＧＯから受け取ることとを含むことができる。ＴＤＬＳ設定リクエストおよびＴＤＬＳ設定コンファメイションは、第２のクライアント局によって生成することができる。ＴＤＬＳ設定リクエストおよびＴＤＬＳ設定コンファメイションは、ＧＯによって生成することができる。ＴＤＬＳ設定リクエストは、指定受信者と、ＴＤＬＳ直接リンクに関する情報と、ＴＤＬＳ直接リンクのためのチャネルと、ＴＤＬＳ直接リンクのための周波数と、またはＴＤＬＳ直接リンクのためのタイミング構造とを含むことができる。
【００１１】
ＧＯからＴＤＬＳ分解フレームを受け取ることができる。ＴＤＬＳ分解フレームは、ＴＤＬＳ直接リンクを介する通信を終了させることができる。第２のクライアント局は、第２のＰ２Ｐ Ｗｉ−Ｆｉリンクを介してＧＯと通信することができる。ＴＤＬＳ設定レスポンスは、ＴＤＬＳ直接リンクが不許可であり、ＴＤＬＳ直接リンクが設定されないことを示すことができる。ＴＤＬＳ分解フレームは、ＴＤＬＳ直接リンクを解除することができる。
【００１２】
グループオーナによる直接リンクの設定を制御するための方法について述べる。この方法は、第１のピアツーピア（Ｐ２Ｐ）ワイヤレスリンクを介して第１のクライアント局と通信することを含む。また、この方法は、第２のＰ２Ｐワイヤレスリンクを介して第２のクライアント局と通信することを含む。第１のＴＤＬＳ設定リクエストが、第１のクライアント局に送られる。第１のＴＤＬＳ設定レスポンスが、第１のクライアント局から受け取られる。第１のＴＤＬＳ設定コンファメイションが、第１のクライアント局に送られる。
【００１３】
第１のＰ２Ｐワイヤレスリンクは、ワイヤレスフィデリティ（Ｗｉ−Ｆｉ）リンクとすることができる。第２のＰ２Ｐワイヤレスリンクは、Ｗｉ−Ｆｉリンクとすることができる。第１のＴＤＬＳ設定リクエストは、第２のクライアント局から受け取ることができる。第１のＴＤＬＳ設定コンファメイションは、第２のクライアント局から受け取ることができる。第１のＴＤＬＳ設定レスポンスは、第２のクライアント局に送ることができる。第１のＴＤＬＳ分解フレームは、第１のクライアント局に送ることができる。
【００１４】
第２のＴＤＬＳ分解フレームは、第２のクライアント局に送ることができる。第１のＴＤＬＳ設定リクエストは、ＧＯによって、または第１のクライアント局によって生成することができる。また、第１のＴＤＬＳ設定コンファメイションは、ＧＯによって生成することができる。第２のＴＤＬＳ設定リクエストは、第２のクライアント局に送ることができる。第２のＴＤＬＳ設定レスポンスは、第２のクライアント局から受け取ることができる。第２のＴＤＬＳ設定コンファメイションは、第２のクライアント局に送ることができる。第１のクライアント局は、第２のＴＤＬＳレスポンスの指定受信者とすることができる。ＧＯは、第２のＴＤＬＳレスポンスを第１のクライアント局に送付しないことがある。第２のＴＤＬＳ設定レスポンスは、第２のクライアント局によって生成することができる。第２のクライアント局は、第１のＴＤＬＳレスポンスの指定受信者とすることができる。ＧＯは、第１のＴＤＬＳレスポンスを第２のクライアント局に送付しないことがある。
【００１５】
直接リンクを設定するように構成されるワイヤレスデバイスについて述べる。ワイヤレスデバイスは、プロセッサと、プロセッサと電子的に通信状態にあるメモリと、メモリ中に格納されるインストラクションとを含む。インストラクションは、第１のピアツーピア（Ｐ２Ｐ）ワイヤレスリンクを介してグループオーナ（ＧＯ）と通信するためにプロセッサによって実行可能である。また、インストラクションは、第１のクライアント局と第２のクライアント局の間にトンネリング直接リンク設定（ＴＤＬＳ）直接リンクを設定するかどうかを決定するために、プロセッサによって実行可能である。インストラクションは、第１のクライアント局と第２のクライアント局の間にＴＤＬＳ直接リンクを設定するために、プロセッサによって、さらに実行可能である。また、インストラクションは、ＴＤＬＳ直接リンクを介して第２のクライアント局と直接通信するために、プロセッサによって実行可能である。
【００１６】
また、直接リンクを設定するように構成されるワイヤレスデバイスについて述べる。このワイヤレスデバイスは、第１のピアツーピア（Ｐ２Ｐ）ワイヤレスリンクを介してグループオーナ（ＧＯ）と通信するための手段を含む。また、ワイヤレスデバイスは、第１のクライアント局と第２のクライアント局の間にトンネリング直接リンク設定（ＴＤＬＳ）直接リンクを設定するかどうかを決定するための手段を含む。ワイヤレスデバイスは、第１のクライアント局と第２のクライアント局の間にＴＤＬＳ直接リンクを設定するための手段をさらに含む。また、ワイヤレスデバイスは、ＴＤＬＳ直接リンクを介して第２のクライアント局と直接通信するための手段を含む。
【００１７】
直接リンクを設定するように構成されるワイヤレスデバイスのためのコンピュータプログラム製品について述べる。コンピュータプログラム製品は、インストラクションをその中に有するコンピュータ可読媒体を含む。インストラクションは、第１のピアツーピア（Ｐ２Ｐ）ワイヤレスリンクを介してグループオーナ（ＧＯ）と通信するためのコードを含む。また、インストラクションは、第１のクライアント局と第２のクライアント局の間にトンネリング直接リンク設定（ＴＤＬＳ）直接リンクを設定するかどうかを決定するためのコードを含む。インストラクションは、第１のクライアント局と第２のクライアント局の間にＴＤＬＳ直接リンクを設定するためのコードをさらに含む。また、インストラクションは、ＴＤＬＳ直接リンクを介して第２のクライアント局と直接通信するためのコードを含む。
【図面の簡単な説明】
【００１８】
【図１】多くのワイヤレスデバイスを含むワイヤレス通信システムを示す図。
【図２】第１のクライアント局と第２のクライアント局の間にトンネリング直接リンク設定（ＴＤＬＳ）直接リンクを設定するための方法のフローチャート。
【図３】本システムと方法で使用するためのクライアント局の様々な構成要素を示すブロック図。
【図４】トンネリング直接リンク設定（ＴＤＬＳ）直接リンクを設定するための、第１のクライアント局と第２のクライアント局とグループオーナ（ＧＯ）の間の送信スキームを示す図。
【図５】第１のクライアント局がトンネリング直接リンク設定（ＴＤＬＳ）設定リクエストをそれで送る、第１のクライアント局と第２のクライアント局の間のトンネリング直接リンク設定（ＴＤＬＳ）直接リンクを設定するための方法のフローチャート。
【図６】トンネリング直接リンク設定（ＴＤＬＳ）設定リクエストが、グループオーナ（ＧＯ）からそれで受け取られる、第１のクライアント局と第２のクライアント局の間のトンネリング直接リンク設定（ＴＤＬＳ）直接リンクを設定するための方法のフローチャート。
【図７】トンネリング直接リンク設定（ＴＤＬＳ）設定リクエストが、第１のクライアント局によってそれで送られる、第１のクライアント局と第２のクライアント局の間のトンネリング直接リンク設定（ＴＤＬＳ）直接リンクを設定するための、また他の方法のフローチャート。
【図８】グループオーナ（ＧＯ）によって開始される、トンネリング直接リンク設定（ＴＤＬＳ）直接リンクを設定するための、グループオーナ（ＧＯ）と第１のクライアント局と第２のクライアント局の間の送信スキームを示す図。
【図９】グループオーナ（ＧＯ）によって開始される、トンネリング直接リンク設定（ＴＤＬＳ）直接リンクを設定するための方法のフローチャート。
【図１０】トンネリング直接リンク設定（ＴＤＬＳ）直接リンクが設定されないように防止するための、グループオーナ（ＧＯ）と第１のクライアント局と第２のクライアント局の間の送信スキームを示す図。
【図１１】本開示によって構成されるグループオーナ（ＧＯ）内に含めることができる、ある決まった構成要素を示す図。
【図１２】本開示によって構成されるクライアント局内に含めることができる、ある決まった構成要素を示す図。
【発明を実施するための形態】
【００１９】
図１に、多くのワイヤレスデバイスを含むワイヤレス通信システム１００を示す。ワイヤレス通信システム１００は、広く展開されて、音声およびデータなど、様々なタイプの通信コンテンツを提供している。これらのシステムは、使用可能なシステムリソース（たとえば、バンド幅および送信パワー）を共有することによって、多くのユーザとの通信をサポートすることが可能な多元接続システムとすることができる。ワイヤレスデバイスは、グループオーナ（ＧＯ）１０２と、２つ以上のクライアント局１０４とを含む。グループオーナ（ＧＯ）１０２は、アクセスポイントとすることができる。たとえば、グループオーナ（ＧＯ）１０２は、ノート型パソコン、携帯電話、またはグループオーナ（ＧＯ）１０２として振る舞うことが可能なノート型パソコンとすることができる。
【００２０】
グループオーナ（ＧＯ）１０２は、専用アクセスポイントでなくてもよい。言い換えると、グループオーナ（ＧＯ）１０２は、基幹回線網にケーブルで直接接続されていない、可搬型デバイスとすることができる。どのようなワイヤレスデバイスも、グループオーナ（ＧＯ）１０２として動作することができる。たとえば、ワイヤレス通信システム１００が確立されたとき、１つまたは複数のワイヤレスデバイスは、可能なグループオーナ（ＧＯ）１０２であることができる。様々なプロトコルが、グループオーナ（ＧＯ）１０２として振る舞うことになるワイヤレスデバイスを決定させるために、存在することができる。たとえば、ワイヤレスデバイスの１つがノート型パソコンであり、他のワイヤレスデバイスが携帯電話である場合、ノート型パソコンは、携帯電話に対してノート型パソコンの出力ポテンシャルが大きいので、グループオーナ（ＧＯ）１０２と指定することができる。他の例として、ワイヤレスデバイスの１つがグループオーナ（ＧＯ）１０２になることを希望することができる。この場合、グループオーナ（ＧＯ）１０２になることを希望するワイヤレスデバイスは、最低基準を満たす限り、グループオーナ（ＧＯ）１０２になることができる。グループオーナ（ＧＯ）１０２の選択は、バッテリパワーと、信号強度と、場所と、処理能力と、または他のメトリックとに基づくことができる。
【００２１】
クライアント局１０４は、ワイヤレスデバイスとすることができる。たとえば、クライアント局１０４は、携帯電話、ＰＤＡ、ノート型パソコン、ゲーム機、およびスマートフォンなどとすることができる。また、クライアント局１０４は、ワイヤレス通信デバイスとして言及することがある。
【００２２】
ワイヤレス通信システム１００は、ワイヤレスデバイス間の通信のために、ピアツーピア（Ｐ２Ｐ）ワイヤレスネットワークを使用することができる。１つの構成では、ワイヤレスネットワークは、ワイヤレスフィデリティ（Ｗｉ−Ｆｉ）ネットワークなどのワイヤレスローカルエリアネットワーク（ＷＬＡＮ）とすることができる。たとえば、ワイヤレスネットワークは、電気電子技術者協会（ＩＥＥＥ）８０２．１１規格で述べられた規格に準拠することができる。グループオーナ（ＧＯ）１０２は、第１のピアツーピア（Ｐ２Ｐ）ワイヤレスフィデリティ（Ｗｉ−Ｆｉ）リンク１０６ａを介して第１のクライアント局１０４ａと通信し、さらに第２のピアツーピア（Ｐ２Ｐ）ワイヤレスフィデリティ（Ｗｉ−Ｆｉ）リンク１０６ｂを介して第２のクライアント局１０４ｂと同時に通信することができる。
【００２３】
ピアツーピア（Ｐ２Ｐ）ネットワークまたはピアツーピア（Ｐ２Ｐ）リンクは、ワイヤレスデバイスから構成されるネットワークアーキテクチャを言うことができ、そのアーキテクチャによって、専用アクセスポイント、基地局または基幹回線網などを中心とする調整の必要なしに、ワイヤレスデバイスのリソース（処理パワー、ディスク記憶、またはネットワークバンド幅）の一部分を、他のネットワーク参加者に直接利用させる。ピアツーピア（Ｐ２Ｐ）ネットワークは、アドホックにノードを追加することによって、ダイナミックに形成することができる。アドホックなネットワークでは、ノードの除去は、ネットワークになんら影響を及ぼさない。ピアツーピア（Ｐ２Ｐ）ネットワークでは、デバイスは、インフラに物理的に帰属しない。デバイスは、インターネットと、ワイヤで、またはワイヤレスで接続されない。ピアツーピア（Ｐ２Ｐ）ネットワークは、ネットワークにデバイスが加えられる、またはそれから取り去られるにつれて、増大する、または縮小することができる。
【００２４】
用語「ワイヤレスフィデリティ（Ｗｉ−Ｆｉ）」は、あるクラスのワイヤレスローカルエリアネットワーク（ＷＬＡＮ）デバイスを言い、それは、ＩＥＥＥ８０２．１１、８０２．１１ａ、８０２．１１ｂ、８０２．１１ｇまたは８０２．１１ｎ規格を使用する。Ｗｉ−Ｆｉデバイスの例には、パソコン、ビデオゲームコンソール、スマートフォン、プリンタおよびノート型パソコンが含まれる。Ｗｉ−Ｆｉデバイスは、周波数バンドが２．４と、３．６と、５ギガヘルツ（GHz）とで、ワイヤレスで通信することができる。
【００２５】
ピアツーピア（Ｐ２Ｐ）ワイヤレスフィデリティ（Ｗｉ−Ｆｉ）リンク１０６は、２つ以上のＷｉ−Ｆｉデバイス間にピアツーピア（Ｐ２Ｐ）リンクを組み込むことができる。ピアツーピア（Ｐ２Ｐ）ワイヤレスフィデリティ（Ｗｉ−Ｆｉ）リンク１０６は、ピアツーピア（Ｐ２Ｐ）ワイヤレスフィデリティ（Ｗｉ−Ｆｉ）ネットワーク内の通信リンクを言うことができる。ピアツーピア（Ｐ２Ｐ）ワイヤレスフィデリティ（Ｗｉ−Ｆｉ）ネットワークでは、１つまたは複数のクライアント局１０４が、それぞれ、グループオーナ（ＧＯ）１０２とのピアツーピア（Ｐ２Ｐ）ワイヤレスフィデリティ（Ｗｉ−Ｆｉ）リンク１０６を確立することができる。それゆえ、第１のクライアント局１０４ａは、グループオーナ（ＧＯ）１０２とのピアツーピア（Ｐ２Ｐ）ワイヤレスフィデリティ（Ｗｉ−Ｆｉ）リンク１０６ａを確立することができ、第２のクライアント局１０４ｂは、グループオーナ（ＧＯ）１０２との第２のピアツーピア（Ｐ２Ｐ）ワイヤレスフィデリティ（Ｗｉ−Ｆｉ）リンク１０６ｂを確立することができる。
【００２６】
ピアツーピア（Ｐ２Ｐ）ワイヤレスフィデリティ（Ｗｉ−Ｆｉ）ネットワークに関する１つの問題は、同じグループオーナ（ＧＯ）１０２に関連付けられた２つのクライアント局１０４の間でのトラフィックの効率的な搬送である。第１のクライアント局１０４ａと第２のクライアント局１０４ｂの間のトラフィックは、グループオーナ（ＧＯ）１０２に送らねばならず、次いで、そのグループオーナ（ＧＯ）１０２は、そのトラフィックを、あて先クライアント局１０４に送付する。この送付することは、追加の待ち時間を生じ、不必要で余分な通信時間を消費する恐れがある。また、他のトラフィックがグループオーナ（ＧＯ）１０２のチャネル上に生じる恐れがあり、それは、２つのクライアント局１０４間のトラフィックの搬送効率を低下させる。また、グループオーナ（ＧＯ）１０２は、２つのクライアント局１０４ａ〜ｂより能力が高くないことがあり、トラフィック搬送の効率が低下する。
【００２７】
その代わりに、直接リンクを、第１のクライアント局１０４ａと第２のクライアント局１０４ｂの間に設定することができる。かかる直接リンクの１つの例は、トンネリング直接リンク設定（ＴＤＬＳ）プロトコルの使用である。トンネリング直接リンク設定（ＴＤＬＳ）プロトコルは、アクセスポイント（ＡＰ）ネットワークのために８０２．１１ｚとして現在規格化中であるが、しかしグループオーナ（ＧＯ）１０２ネットワークには適合されていない。トンネリング直接リンク設定（ＴＤＬＳ）リンクは、短くすることができ、それによって使用する出力パワーを低下させる、またはスペクトルをより効率的に使用することになる、データ転送速度を高くする、いずれかが可能になる。トンネリング直接リンク設定（ＴＤＬＳ）プロトコルは、正規データフレーム中に設定フレームをカプセル化し、それによって設定フレームが、グループオーナ（ＧＯ）１０２を通して透過的に送信されることが可能になることを特徴とすることができる。この理由のために、グループオーナ（ＧＯ）１０２は、ＴＤＬＳが可能である、またはそれに気付く必要がない。さらに、グループオーナ（ＧＯ）１０２は、第１のクライアント局１０４ａと第２のクライアント局１０４ｂの間の直接リンク上で使用されることになる、同じセットの能力を有する必要がない。
【００２８】
一度、トンネリング直接リンク設定（ＴＤＬＳ）直接リンク１０８が、第１のクライアント局１０４ａと第２のクライアント局１０４ｂの間で確立されると、第１のクライアント局１０４ａと第２のクライアント局１０４ｂは、グループオーナ（ＧＯ）１０２と関連付けられたままであることができる。たとえば、第１のピアツーピア（Ｐ２Ｐ）ワイヤレスフィデリティ（Ｗｉ−Ｆｉ）リンク１０６ａは、第１のクライアント局１０４ａとグループオーナ（ＧＯ）１０２の間で継続して存在することができる。同様に、第２のピアツーピア（Ｐ２Ｐ）ワイヤレスフィデリティ（Ｗｉ−Ｆｉ）リンク１０６ｂは、第２のクライアント局１０４ｂとグループオーナ（ＧＯ）１０２の間で継続して存在することができる。
【００２９】
トンネリング直接リンク設定（ＴＤＬＳ）直接リンク１０８は、ピアツーピア（Ｐ２Ｐ）ワイヤレスフィデリティ（Ｗｉ−Ｆｉ）リンク１０６と同じ周波数バンドを使用することができる。また、トンネリング直接リンク設定（ＴＤＬＳ）直接リンク１０８は、ピアツーピア（Ｐ２Ｐ）ワイヤレスフィデリティ（Ｗｉ−Ｆｉ）リンク１０６と同じチャネルを使用することができる。また、トンネリング直接リンク設定（ＴＤＬＳ）直接リンク１０８に対して、他の周波数バンドおよびチャネルバンド幅を使用することができる。たとえば、トンネリング直接リンク設定（ＴＤＬＳ）直接リンク１０８は、同じまたは別のバンドにおいて別のチャネルに切り替えることができる。
【００３０】
図２は、第１のクライアント局１０４ａと第２のクライアント局１０４ｂの間にトンネリング直接リンク設定（ＴＤＬＳ）直接リンク１０８を設定するための方法２００のフローチャートである。この方法２００は、第１のクライアント局１０４ａが実施することができる。２０２で、第１のクライアント局１０４ａは、第１のピアツーピア（Ｐ２Ｐ）ワイヤレスフィデリティ（Ｗｉ−Ｆｉ）リンク１０６ａを介してグループオーナ（ＧＯ）１０２と通信することができる。２０４で、第１のクライアント局１０４ａは、第１のクライアント局１０４ａと第２のクライアント局１０４ｂの間にトンネリング直接リンク設定（ＴＤＬＳ）直接リンク１０８を設定するかどうかを決定することができる。２０４で、トンネリング直接リンク設定（ＴＤＬＳ）直接リンク１０８を設定するかどうかを決定することは、トンネリング直接リンク設定（ＴＤＬＳ）設定リクエストを受け取ることと、またはネットワーク条件に基づきトンネリング直接リンク設定（ＴＤＬＳ）設定リクエストを生成することとを含むことができる。ネットワーク条件とトンネリング直接リンク設定（ＴＤＬＳ）設定リクエストは、図３に関してさらに詳細に以下で議論する。
【００３１】
トンネリング直接リンク設定（ＴＤＬＳ）直接リンク１０８を設定すべきであることが決定された場合、２０６で、第１のクライアント局１０４ａは、トンネリング直接リンク設定（ＴＤＬＳ）直接リンク１０８を設定することができる。トンネリング直接リンク設定（ＴＤＬＳ）直接リンク１０８を設定することは、図４に関してさらに詳細に以下で議論する。トンネリング直接リンク設定（ＴＤＬＳ）直接リンク１０８は、ピアツーピア（Ｐ２Ｐ）ワイヤレスフィデリティ（Ｗｉ−Ｆｉ）ネットワークと同じ周波数バンドを使用することができる。一度、トンネリング直接リンク設定（ＴＤＬＳ）直接リンク１０８が設定されると、２０８で、第１のクライアント局１０４ａは、トンネリング直接リンク設定（ＴＤＬＳ）直接リンク１０８を介して第２のクライアント局１０４ｂと直接通信することができる。
【００３２】
図３は、本システムおよび方法で使用するための、クライアント局３０４の様々な構成要素を示すブロック図である。図３のクライアント局３０４は、図１の第１のクライアント局１０４ａまたは第２のクライアント局１０４ｂの１つの構成とすることができる。クライアント局３０４は、１つまたは複数のメトリックに基づき、別のクライアント局１０４とのトンネリング直接リンク設定（ＴＤＬＳ）直接リンク１０８を設定するかどうかを決定することができる。たとえば、クライアント局３０４は、グループオーナ（ＧＯ）１０２から受け取る信号強度３１０ａと、第２のクライアント局１０４ｂから受け取る信号強度３１０ｂと、グループオーナ（ＧＯ）１０２を介するカレントデータ転送速度３１２ａと、トンネリング直接リンク設定（ＴＤＬＳ）直接リンク１０８を介する可能なデータ転送速度３１２ｂとに基づき、別のクライアント局１０４とのトンネリング直接リンク設定（ＴＤＬＳ）直接リンク１０８を設定するかどうかを決定することができる。
【００３３】
また、クライアント局３０４は、トンネリング直接リンク設定（ＴＤＬＳ）直接リンク１０８を設定するかどうかを決定するために、チャネル利用可能性３１４を使用することができる。チャネル利用可能性３１４は、トンネリング直接リンク設定（ＴＤＬＳ）直接リンク１０８のために使用できるチャネルを含むことができる。クライアント局は、トンネリング直接リンク設定（ＴＤＬＳ）設定リクエスト３１６を受け取ることができる。受け取るトンネリング直接リンク設定（ＴＤＬＳ）設定リクエスト３１６は、グループオーナ（ＧＯ）１０２から受け取ることができる。受け取ったトンネリング直接リンク設定（ＴＤＬＳ）設定リクエスト３１６は、別のクライアント局１０４によって生成されたものとすることができる。１つの構成では、受け取るトンネリング直接リンク設定（ＴＤＬＳ）設定リクエスト３１６は、グループオーナ（ＧＯ）１０２によって生成されたものとすることができる。
【００３４】
また、クライアント局３０４は、トンネリング直接リンク設定（ＴＤＬＳ）直接リンク１０８を設定するかどうかを決定するために、グループオーナ（ＧＯ）１０２の送付待ち時間３１８を介するクライアント局１０４との通信を使用することができる。グループオーナ（ＧＯ）１０２の送付待ち時間３１８を介するクライアント局１０４との通信は、グループオーナ（ＧＯ）１０２を介するクライアント局１０４との通信の際、遭遇する遅延を参照することができる。たとえば、第１のクライアント局１０４ａは、第２のクライアント局１０４ｂ行きのメッセージをグループオーナ（ＧＯ）１０２に、第１のピアツーピア（Ｐ２Ｐ）ワイヤレスフィデリティ（Ｗｉ−Ｆｉ）リンク１０６ａを使用して、送ることができる。グループオーナ（ＧＯ）１０２は、メッセージを受け取るとすぐ、そのメッセージを第２のクライアント局１０４ｂに、第２のピアツーピア（Ｐ２Ｐ）ワイヤレスフィデリティ（Ｗｉ−Ｆｉ）リンク１０６ｂを使用して送付することができる。測定される遅延に依存すると、第１のクライアント局１０４ａと第２のクライアント局１０４ｂの間にトンネリング直接リンク設定（ＴＤＬＳ）直接リンク１０８を設定することが、より効率的になることができる。
【００３５】
図４に、トンネリング直接リンク設定（ＴＤＬＳ）直接リンク１０８を設定するための、第１のクライアント局４０４ａと第２のクライアント局４０４ｂとグループオーナ（ＧＯ）４０２の間の送信スキーム４００を示す。図４の第１のクライアント局４０４ａと、グループオーナ（ＧＯ）４０２と、第２のクライアント局４０４ｂは、図１の第１のクライアント局１０４ａと、グループオーナ（ＧＯ）１０２と、第２のクライアント局１０４ｂとの１つの構成とすることができる。第１のクライアント局４０４ａは、第２のクライアント局４０４ｂとのトンネリング直接リンク設定（ＴＤＬＳ）直接リンク１０８を設定することを決定することができる。上記に述べたように、第１のクライアント局４０４ａは、受け取る信号強度３１０と、データ転送速度３１２と、チャネル利用可能性３１４と、待ち時間３１８とを含む、多くのファクタに基づき、トンネリング直接リンク設定（ＴＤＬＳ）直接リンク１０８を設定するかどうかを決定することができる。
【００３６】
一度、第１のクライアント局４０４ａが、トンネリング直接リンク設定（ＴＤＬＳ）直接リンク１０８を設定することを決定すると、第１のクライアント局４０４ａは、トンネリング直接リンク設定（ＴＤＬＳ）設定リクエスト４２０をグループオーナ（ＧＯ）４０２に、第１のピアツーピア（Ｐ２Ｐ）ワイヤレスフィデリティ（Ｗｉ−Ｆｉ）リンク１０６ａを使用して、送ることができる。トンネリング直接リンク設定（ＴＤＬＳ）設定リクエスト４２０は、指定受信者（第２のクライアント局４０４ｂ）と、リクエストされたリンクに関する情報と、データ転送速度と、チャネルと、第１のクライアント局４０４ａのバンド幅能力とを含むことができる。トンネリング直接リンク設定（ＴＤＬＳ）設定リクエスト４２０のフレーム本体は、以下の表１に示す情報（ＩＥＥＥ  Ｐ802.11ｚ/Ｄ8.0, Draft Standard for Information Technology-Telecommunications and information exchange between systems-Local and metropolitan area networks-Specific requirements-Part 11: Wireless Medium Access Control （ＭＡＣ）and physical layer （ＰＨＹ）specifications, Amendment 7: Extensions to Direct Link Setupに準拠）を含むことができる。
【表１−１】
0005536213.tif 000002
【表１−２】
0005536213.tif 000003
【表１−３】
0005536213.tif 000004
【００３７】
グループオーナ（ＧＯ）４０２は、トンネリング直接リンク設定（ＴＤＬＳ）設定リクエスト４２０を受け取るとすぐ、受け取ったトンネリング直接リンク設定（ＴＤＬＳ）設定リクエスト４２２を第２のクライアント局４０４ｂに送付することができる。１つの構成では、グループオーナ（ＧＯ）４０２は、受け取ったトンネリング直接リンク設定（ＴＤＬＳ）設定リクエスト４２２を第２のクライアント局４０４ｂに、第２のピアツーピア（Ｐ２Ｐ）ワイヤレスフィデリティ（Ｗｉ−Ｆｉ）リンク１０６ｂを使用して、送付することができる。
【００３８】
ついで、第２のクライアント局４０４ｂは、トンネリング直接リンク設定（ＴＤＬＳ）設定レスポンス４２４を生成することができる。トンネリング直接リンク設定（ＴＤＬＳ）設定レスポンス４２４は、第２のクライアント局４０４ｂのハンド幅能力を含むことができる。トンネリング直接リンク設定（ＴＤＬＳ）設定レスポンス４２４は、データフレーム中にカプセル化することができ、以下の表２に示す情報（ＩＥＥＥ  Ｐ802.11ｚ/Ｄ8.0, Draft Standard for Information Technology-Telecommunications and information exchange between systems-Local and metropolitan area networks-Specific requirements-Part 11: Wireless Medium Access Control （ＭＡＣ）and physical layer （ＰＨＹ）specifications, Amendment 7: Extensions to Direct Link Setupに準拠）を含むことができる。
【表２−１】
0005536213.tif 000005
【表２−２】
0005536213.tif 000006
【００３９】
第２のクライアント局４０４ｂは、トンネリング直接リンク設定（ＴＤＬＳ）設定レスポンス４２４をグループオーナ（ＧＯ）４０２に、第２のピアツーピア（Ｐ２Ｐ）ワイヤレスフィデリティ（Ｗｉ−Ｆｉ）リンク１０６ｂを使用して、送ることができる。
【００４０】
グループオーナ（ＧＯ）４０２は、トンネリング直接リンク設定（ＴＤＬＳ）設定レスポンス４２４を受け取るとすぐ、トンネリング直接リンク設定（ＴＤＬＳ）設定レスポンス４２６を第１のクライアント局４０４ａに、第１のピアツーピア（P２P）ワイヤレスフィデリティ（Ｗｉ−Ｆｉ）リンク１０６ａを使用して、送付することができる。ついで、第１のクライアント局４０４ａは、トンネリング直接リンク設定（ＴＤＬＳ）設定コンファメイション４２８を生成することができる。トンネリング直接リンク設定（ＴＤＬＳ）設定コンファメイション４２８は、使用されるチャネル、使用される周波数、使用されるタイミング構造、サービス品質（ＱＯＳ: quality of service）能力、セキュリティ情報など、確立されるトンネリング直接リンク設定（ＴＤＬＳ）直接リンク１０８に関する具体的な情報を含むことができる。
【００４１】
第１のクライアント局４０４ａは、トンネリング直接リンク設定（ＴＤＬＳ）設定コンファメイション４２８をグループオーナに、第１のピアツーピア（Ｐ２Ｐ）ワイヤレスフィデリティ（Ｗｉ−Ｆｉ）リンク１０６ａを使用して、送ることができる。トンネリング直接リンク設定（ＴＤＬＳ）設定コンファメイション４２８のフレーム本体は、以下の表３に示す情報（ＩＥＥＥ  Ｐ802.11ｚ/Ｄ8.0, Draft Standard for Information Technology-Telecommunications and information exchange between systems-Local and metropolitan area networks-Specific requirements-Part 11: Wireless Medium Access Control （ＭＡＣ）and physical layer （ＰＨＹ）specifications, Amendment 7: Extensions to Direct Link Setupに準拠）を含むことができる。
【表３】
0005536213.tif 000007
【００４２】
グループオーナ（ＧＯ）４０２は、トンネリング直接リンク設定（ＴＤＬＳ）設定コンファメイション４２８を受け取るとすぐ、トンネリング直接リンク設定（ＴＤＬＳ）設定コンファメイション４３０を第２のクライアント局４０４ｂに、第２のピアツーピア（Ｐ２Ｐ）ワイヤレスフィデリティ（Ｗｉ−Ｆｉ）リンク１０６ｂを使用して、送付することができる。ついで、第１のクライアント局４０４ａと第２のクライアント局４０４ｂは、トンネリング直接リンク設定（ＴＤＬＳ）直接リンク１０８を使用して、互いに通信することを開始することができる。
【００４３】
図５は、第１のクライアント局４０４ａが、トンネリング直接リンク設定（ＴＤＬＳ）設定リクエスト４２２をそれで送る、第１のクライアント局４０４ａと第２のクライアント局４０４ｂの間にトンネリング直接リンク設定（ＴＤＬＳ）直接リンク１０８を設定するための方法５００のフローチャートである。この方法５００は、第１のクライアント局４０４ａによって実施することができる。５０２で、第１のクライアント局４０４ａは、第１のピアツーピア（Ｐ２Ｐ）ワイヤレスフィデリティ（Ｗｉ−Ｆｉ）リンク１０６ａを介してグループオーナ（ＧＯ）４０２と通信することができる。５０４で、第１のクライアント局４０４ａは、第２のクライアント局４０４ｂとのトンネリング直接リンク設定（ＴＤＬＳ）直接リンク１０８を設定するかどうかを決定することができる。図３に関して上記に議論したように、５０４で、第１のクライアント局４０４ａは、受け取る信号強度３１０と、データ転送速度３１２と、チャネル利用可能性３１４と、待ち時間３１８とを含む、１つまたは複数のファクタに基づき、トンネリング直接リンク設定（ＴＤＬＳ）直接リンク１０８を設定するかどうかを決定することができる。
【００４４】
ついで、５０６で、第１のクライアント局４０４ａは、トンネリング直接リンク設定（ＴＤＬＳ）設定リクエスト４２０をグループオーナ（ＧＯ）４０２に送ることができる。トンネリング直接リンク設定（ＴＤＬＳ）設定リクエスト４２０は、提案されたトンネリング直接リンク設定（ＴＤＬＳ）直接リンク１０８に関する情報を含むことができる。たとえば、トンネリング直接リンク設定（ＴＤＬＳ）設定リクエスト４２０は、それとのトンネリング直接リンク設定（ＴＤＬＳ）直接リンク１０８がリクエストされたクライアント局４０４と、トンネリング直接リンク設定（ＴＤＬＳ）直接リンク１０８のためのチャネルと、および／またはトンネリング直接リンク設定（ＴＤＬＳ）直接リンク１０８の提案された持続期間とを指定することができる。
【００４５】
５０８で、第１のクライアント局４０４ａは、グループオーナ（ＧＯ）４０２からトンネリング直接リンク設定（ＴＤＬＳ）設定レスポンス４２６を受け取ることができる。５１０で、第１のクライアント局４０４ａは、トンネリング直接リンク設定（ＴＤＬＳ）設定コンファメイション４２８をグループオーナ（ＧＯ）４０２に送ることができる。ついで、５１２で、第１のクライアント局４０４ａは、トンネリング直接リンク設定（ＴＤＬＳ）直接リンク１０８を介して第２のクライアント局４０４ｂと直接通信することができる。第１のクライアント局４０４ａは、トンネリング直接リンク設定（ＴＤＬＳ）直接リンク１０８を介して第２のクライアント局４０４ｂと５１２で直接通信しながら、第１のピアツーピア（Ｐ２Ｐ）ワイヤレスフィデリティ（Ｗｉ−Ｆｉ）リンク１０８を介してグループオーナ（ＧＯ）４０２と５０２で継続して通信することができる。
【００４６】
図６は、トンネリング直接リンク設定（ＴＤＬＳ）設定リクエスト４２２が、グループオーナ（ＧＯ）４０２からそれで受け取られる、第１のクライアント局４０４ａと第２のクライアント局４０４ｂの間のトンネリング直接リンク設定（ＴＤＬＳ）直接リンク１０８を設定するための方法６００のフローチャートである。この方法６００は、クライアント局４０４によって実施することができる。１つの構成では、方法６００は、図４の第１のクライアント局４０４ａとのトンネリング直接リンク設定（ＴＤＬＳ）直接リンク１０８を設定するために、図４の第２のクライアント局４０４ｂによって実施することができる。６０２で、第２のクライアント局４０４ｂは、ピアツーピアワイヤレスフィデリティ（Ｗｉ−Ｆｉ）リンク１０６ｂを介してグループオーナ（ＧＯ）４０２と通信することができる。ついで、６０４で、第２のクライアント局４０４ｂは、グループオーナ（ＧＯ）４０２からトンネリング直接リンク設定（ＴＤＬＳ）設定リクエスト４２２を受け取ることができる。トンネリング直接リンク設定（ＴＤＬＳ）設定リクエスト４２２は、第１のクライアント局４０４ａによって生成されたものとすることができる。
【００４７】
６０６で、第２のクライアント局４０４ｂは、トンネリング直接リンク設定（ＴＤＬＳ）設定レスポンス４２４をグループオーナ（ＧＯ）４０２に送ることができる。トンネリング直接リンク設定（ＴＤＬＳ）設定レスポンス４２４は、第２のクライアント局４０４ｂが、第１のクライアント局４０４ａとのトンネリング直接リンク設定（ＴＤＬＳ）直接リンク１０８を確立することが可能であることを示すことができる。１つの構成では、トンネリング直接リンク設定（ＴＤＬＳ）設定レスポンス４２４は、指定受信者が第１のクライアント局４０４ａであることをグループオーナ（ＧＯ）４０２に示すことができる。
【００４８】
ついで、６０８で、第２のクライアント局４０４ｂは、グループオーナ（ＧＯ）４０２からトンネリング直接リンク設定（ＴＤＬＳ）設定コンファメイション４３０を受け取ることができる。トンネリング直接リンク設定（ＴＤＬＳ）設定コンファメイション４３０は、第１のクライアント局４０４ａによって生成されたものとすることができる。６１０で、第２のクライアント局４０４ｂは、トンネリング直接リンク設定（ＴＤＬＳ）設定コンファメイション４３０を受け取った後、トンネリング直接リンク設定（ＴＤＬＳ）直接リンク１０８を介して第１のクライアント局４０４ａと直接通信することができる。６０２で、第２のクライアント局４０４ｂは、ピアツーピア（Ｐ２Ｐ）ワイヤレスフィデリティ（Ｗｉ−Ｆｉ）リンク１０６ｂを介してグループオーナ（ＧＯ）４０２と通信し、さらにまた６１０で、トンネリング直接リンク設定（ＴＤＬＳ）直接リンク１０８を介して第１のクライアント局４０４ａと直接通信することができる。
【００４９】
図７は、トンネリング直接リンク設定（ＴＤＬＳ）設定リクエスト４２２が、第１のクライアント局４０４ａによってそれで送られる、第１のクライアント局４０４ａと第２のクライアント局４０４ｂの間のトンネリング直接リンク設定（ＴＤＬＳ）直接リンク１０８を設定するための、また別の方法７００のフローチャートである。この方法７００は、グループオーナ（ＧＯ）４０２によって実施することができる。７０２で、グループオーナ（ＧＯ）４０２は、第１のピアツーピア（Ｐ２Ｐ）ワイヤレスフィデリティ（Ｗｉ−Ｆｉ）リンク１０６ａを介して第１のクライアント局４０４ａと通信することができる。また、７０４で、グループオーナ（ＧＯ）４０２は、第２のピアツーピア（Ｐ２Ｐ）ワイヤレスフィデリティ（Ｗｉ−Ｆｉ）リンク１０６ｂを介して第２のクライアント局４０４ｂと通信することができる。７０６で、グループオーナ（ＧＯ）４０２は、第１のクライアント局４０４ａからトンネリング直接リンク設定（ＴＤＬＳ）設定リクエスト４２０を受け取ることができる。トンネリング直接リンク設定（ＴＤＬＳ）設定リクエスト４２０は、第２のクライアント局４０４ｂが、そのトンネリング直接リンク設定（ＴＤＬＳ）設定リクエスト４２０を受け取るべきであることを示すことができる。７０６で、トンネリング直接リンク設定（ＴＤＬＳ）設定リクエスト４２０は、第１のピアツーピア（Ｐ２Ｐ）ワイヤレスフィデリティ（Ｗｉ−Ｆｉ）リンク１０６ａを介して受け取ることができる。
【００５０】
ついで、７０８で、グループオーナ（ＧＯ）４０２は、トンネリング直接リンク設定（ＴＤＬＳ）設定リクエスト４２２を第２のクライアント局４０４ｂに、第２のピアツーピア（Ｐ２Ｐ）ワイヤレスフィデリティ（Ｗｉ−Ｆｉ）リンク１０８を使用して、送ることができる。次に７１０で、グループオーナ（ＧＯ）４０２は、第２のクライアント局４０４ｂからトンネリング直接リンク設定（ＴＤＬＳ）設定レスポンス４２４を、第２のピアツーピア（Ｐ２Ｐ）ワイヤレスフィデリティ（Ｗｉ−Ｆｉ）リンク１０６を介して受け取ることができる。トンネリング直接リンク設定（ＴＤＬＳ）設定レスポンス４２４は、第１のクライアント局４０４ａが、そのトンネリング直接リンク設定（ＴＤＬＳ）設定レスポンス４２４を受け取るべきであることを示すことができる。７１２で、グループオーナ（ＧＯ）４０２は、トンネリング直接リンク設定（ＴＤＬＳ）設定レスポンス４２６を第１のクライアント局４０４ａに、第１のピアツーピア（Ｐ２Ｐ）ワイヤレスフィデリティ（Ｗｉ−Ｆｉ）リンク１０８を使用して送ることができる。
【００５１】
７１４で、グループオーナ（ＧＯ）４０２は、第１のクライアント局４０４ａからトンネリング直接リンク設定（ＴＤＬＳ）設定コンファメイション４２８を、第１のピアツーピア（Ｐ２Ｐ）ワイヤレスフィデリティ（Ｗｉ−Ｆｉ）リンク１０８を介して受け取ることができる。トンネリング直接リンク設定（ＴＤＬＳ）設定コンファメイション４２８は、第２のクライアント局４０４ｂが、そのトンネリング直接リンク設定（ＴＤＬＳ）設定コンファメイション４２８を受け取るべきであることを示すことができる。ついで、７１６で、グループオーナ（ＧＯ）４０２は、トンネリング直接リンク設定（ＴＤＬＳ）設定コンファメイション４３０を第２のクライアント局４０４ｂに、第２のピアツーピア（Ｐ２Ｐ）ワイヤレスフィデリティ（Ｗｉ−Ｆｉ）リンク１０８を介して送ることができる。
【００５２】
図８に、グループオーナ（ＧＯ）８０２によって開始される、トンネリング直接リンク設定（ＴＤＬＳ）直接リンク１０８を設定するための、グループオーナ（ＧＯ）８０２と第１のクライアント局８０４ａと第２のクライアント局８０４ｂの間での送信スキーム８００を示す。図８のグループオーナ（ＧＯ）８０２と、第１のクライアント局８０４ａと、第２のクライアント局８０４ｂは、図１のグループオーナ（ＧＯ）１０２と、第１のクライアント局１０４ａと、第２のクライアント局１０４ｂとの１つの構成とすることができる。グループオーナ（ＧＯ）８０２は、第１のピアツーピア（Ｐ２Ｐ）ワイヤレスフィデリティ（Ｗｉ−Ｆｉ）リンク１０６ａを使用して第１のクライアント局８０４ａと通信することができる。また、グループオーナ（ＧＯ）８０２は、第２のピアツーピア（Ｐ２Ｐ）ワイヤレスフィデリティ（Ｗｉ−Ｆｉ）リンク１０６ｂを使用して第２のクライアント局８０４ｂと通信することができる。グループオーナ（ＧＯ）８０２は、直接リンクに気付くことができる。直接リンクに気付くグループオーナ（ＧＯ）８０２は、１つのクライアントから別のクライアントに送られる信号伝達メッセージを理解する、またはその２つのクライアント間に直接リンクの設定を開始する、いずれかをすることができる。
【００５３】
グループオーナ（ＧＯ）８０２は、第１のクライアント局８０４ａと第２のクライアント局８０４ｂの間の直接リンクの設定を、トンネリング直接リンク設定（ＴＤＬＳ）信号伝達フレームを使用して、開始することができる。あるいは、直接リンク設定（ＴＤＬＳ）などの他の直接リンク設定プロトコルを使用することができる。グループオーナ（ＧＯ）８０２は、第１のトンネリング直接リンク設定（ＴＤＬＳ）設定リクエスト８２２ａを第１のクライアント局８０４ａに、第１のピアツーピア（Ｐ２Ｐ）ワイヤレスフィデリティ（Ｗｉ−Ｆｉ）リンク１０６ａを介して送ることができる。第１のトンネリング直接リンク設定（ＴＤＬＳ）設定リクエスト８２２ａは、第１のトンネリング直接リンク設定（ＴＤＬＳ）設定リクエスト８２２ａのソースとして、第２のクライアント局８０４ｂを識別することができる。また、グループオーナ（ＧＯ）８０２は、第２のトンネリング直接リンク設定（ＴＤＬＳ）設定リクエスト８２２ｂを第２のクライアント局８０４ｂに送ることができる。第２のトンネリング直接リンク設定（ＴＤＬＳ）設定リクエスト８２２ｂは、第２のトンネリング直接リンク設定（ＴＤＬＳ）設定リクエスト８２２ｂのソースとして、第１のクライアント局８０４ａを識別することができる。グループオーナ（ＧＯ）８０２が、第１のトンネリング直接リンク設定（ＴＤＬＳ）設定リクエスト８２２ａと第２のトンネリング直接リンク設定（ＴＤＬＳ）設定リクエスト８２２ｂの両方を送ることが必要でないことがあるが、しかし、両方が送られる場合、互いに対するそれぞれのタイミングが重要でなく、異なる時間であってもよい。
【００５４】
第１のクライアント局８０４ａは、第１のトンネリング直接リンク設定（ＴＤＬＳ）設定レスポンス８２４ａをグループオーナ（ＧＯ）８０２に送ることができる。第１のトンネリング直接リンク設定（ＴＤＬＳ）設定レスポンス８２４ａは、第２のクライアント局８０４ｂにアドレス指定することができる。第１のトンネリング直接リンク設定（ＴＤＬＳ）設定レスポンス８２４ａは、グループオーナ（ＧＯ）８０２によって傍受することができ、第２のクライアント局８０４ｂに送付しなくてもよい。第２のクライアント局８０４ｂは、第２のトンネリング直接リンク設定（ＴＤＬＳ）設定レスポンス８２４ｂをグループオーナ（ＧＯ）８０２に送ることができる。第２のトンネリング直接リンク設定（ＴＤＬＳ）設定レスポンス８２４ｂは、第１のクライアント局８０４ａにアドレス指定することができる。第２のトンネリング直接リンク設定（ＴＤＬＳ）設定レスポンス８２４ｂは、グループオーナ（ＧＯ）８０２によって傍受することができ、第１のクライアント局８０４ａに送付しなくてもよい。
【００５５】
ついで、グループオーナ（ＧＯ）８０２は、第１のトンネリング直接リンク設定（ＴＤＬＳ）設定コンファメイション８３０ａを第１のクライアント局８０４ａに送信することができる。第１のトンネリング直接リンク設定（ＴＤＬＳ）設定コンファメイション８３０ａは、第２のクライアント局８０４ｂを、その第１のトンネリング直接リンク設定（ＴＤＬＳ）設定コンファメイション８３０ａのソースとして、識別することができる。また、グループオーナ（ＧＯ）８０２は、第２のトンネリング直接リンク設定（ＴＤＬＳ）設定コンファメイション８３０ｂを第２のクライアント局８０４ｂに送信することができる。第２のトンネリング直接リンク設定（ＴＤＬＳ）設定コンファメイション８３０ｂは、第１のクライアント局８０４ａを、その第２のトンネリング直接リンク設定（ＴＤＬＳ）設定コンファメイション８３０ｂのソースとして、識別することができる。ついで、トンネリング直接リンク設定（ＴＤＬＳ）直接リンク１０８を設定することができる。
【００５６】
また、グループオーナ（ＧＯ）８０２は、トンネリング直接リンク設定（ＴＤＬＳ）直接リンク１０８を介する通信を分解する、解除する、または終了させることができる。グループオーナ（ＧＯ）８０２は、第１のトンネリング直接リンク設定（ＴＤＬＳ）分解フレーム８３２ａを第１のクライアント局に送ることができる。また、グループオーナ（ＧＯ）８０２は、第２のトンネリング直接リンク設定（ＴＤＬＳ）分解フレーム８３２ｂを第２のクライアント局８０４ｂに送ることができる。ついで、第１のクライアント局８０４ａと第２のクライアント局８０４ｂの間のトンネリング直接リンク設定（ＴＤＬＳ）直接リンク１０８は、キャンセルすることができる。トンネリング直接リンク設定（ＴＤＬＳ）分解フレーム８３２のフレーム本体は、以下の表４に示す情報（ＩＥＥＥ  Ｐ802.11ｚ/Ｄ8.0, Draft Standard for Information Technology-Telecommunications and information exchange between systems-Local and metropolitan area networks-Specific requirements-Part 11: Wireless Medium Access Control （ＭＡＣ）and physical layer （ＰＨＹ）specifications, Amendment 7: Extensions to Direct Link Setupに準拠）を含むことができる。
【表４】
0005536213.tif 000008
【００５７】
図９は、グループオーナ（ＧＯ）８０２によって開始される、トンネリング直接リンク設定（ＴＤＬＳ）直接リンク１０８を設定するための方法９００のフローチャートである。この方法９００は、グループオーナ（ＧＯ）８０２によって実施することができる。９０２で、グループオーナ（ＧＯ）８０２は、第１のクライアント局８０４ａと、第１のピアツーピア（Ｐ２Ｐ）ワイヤレスフィデリティ（Ｗｉ−Ｆｉ）リンク１０６ａを介して通信することができる。また、９０４で、グループオーナ（ＧＯ）８０２は、第２のクライアント局８０４ｂと、第２のピアツーピア（Ｐ２Ｐ）ワイヤレスフィデリティ（Ｗｉ−Ｆｉ）リンク１０６ｂを介して通信することができる。９０６で、グループオーナ（ＧＯ）８０２は、第１のクライアント局８０４ａと第２のクライアント局８０４ｂの間にトンネリング直接リンク設定（ＴＤＬＳ）直接リンク１０８を設定するかどうかを決定することができる。９０６でグループオーナ（ＧＯ）８０２によってトンネリング直接リンク設定（ＴＤＬＳ）直接リンク１０８を設定するかどうかを決定することは、５０４でクライアント局４０４によってトンネリング直接リンク設定（ＴＤＬＳ）直接リンク１０８を設定するかどうかを決定することと同様の仕様に基づくことができる。すなわち、受け取る信号強度３１０と、データ転送速度３１２と、チャネル利用可能性３１４と、待ち時間３１８とである。
【００５８】
トンネリング直接リンク設定（ＴＤＬＳ）直接リンク１０８を設定すべきであるということが決定された場合、９０８で、グループオーナ（ＧＯ）８０２は、第１のトンネリング直接リンク設定（ＴＤＬＳ）設定リクエスト８２２ａを第１のクライアント局８０４ａに送ることができる。第１のトンネリング直接リンク設定（ＴＤＬＳ）設定リクエスト８２２ａは、あたかも、それが第２のクライアント局８０４ｂに起源するかのように、見えることがある。また、９１０で、グループオーナ（ＧＯ）８０２は、第２のトンネリング直接リンク設定（ＴＤＬＳ）設定リクエスト８２２ｂを第２のクライアント局８０４ｂに送ることができる。第２のトンネリング直接リンク設定（ＴＤＬＳ）設定リクエスト８２２ｂは、あたかも、それが第１のクライアント局８０４ａに起源するかのように、見えることがある。
【００５９】
ついで、９１２で、グループオーナ（ＧＯ）８０２は、第１のトンネリング直接リンク設定（ＴＤＬＳ）設定レスポンス８２４ａを、第１のクライアント局８０４ａから受け取ることができる。第１のトンネリング直接リンク設定（ＴＤＬＳ）設定レスポンス８２４ａは、第２のクライアント局８０４ｂを指定受信者として示すことができる。また、９１４で、グループオーナ（ＧＯ）８０２は、第２のトンネリング直接リンク設定（ＴＤＬＳ）設定レスポンス８２４ｂを、第２のクライアント局８０４ｂから受け取ることができる。第２のトンネリング直接リンク設定（ＴＤＬＳ）設定レスポンス８２４ｂは、第１のクライアント局８０４ａを指定受信者として示すことができる。
【００６０】
９１６で、グループオーナ（ＧＯ）８０２は、第１のトンネリング直接リンク設定（ＴＤＬＳ）設定コンファメイション８３０ａを第１のクライアント局８０４ａに送ることができる。また、９１８で、グループオーナ（ＧＯ）８０２は、第２のトンネリング直接リンク設定（ＴＤＬＳ）設定コンファメイション８３０ｂを第２のクライアント局８０４ｂに送ることができる。ついで、トンネリング直接リンク設定（ＴＤＬＳ）直接リンク１０８を、第１のクライアント局８０４ａと第２のクライアント局８０４ｂの間に設定することができる。
【００６１】
図１０に、トンネリング直接リンク設定（ＴＤＬＳ）直接リンク１０８が設定されないように防止するための、グループオーナ（ＧＯ）１００２と第１のクライアント局１００４ａと第２のクライアント局１００４ｂの間の送信スキーム１０００を示す。図１０のグループオーナ（ＧＯ）１００２と、第１のクライアント局１００４ａと、第２のクライアント局１００４ｂは、図１のグループオーナ（ＧＯ）１０２と、第１のクライアント局１０４ａと、第２のクライアント局１０４ｂとの１つの構成とすることができる。グループオーナ（ＧＯ）１００２は、第１のクライアント局１００４ａと、第１のピアツーピア（Ｐ２Ｐ）ワイヤレスフィデリティ（Ｗｉ−Ｆｉ）リンク１０６を使用して通信することができる。また、グループオーナ（ＧＯ）１００２は、第２のクライアント局１００４ｂと、第２のピアツーピア（Ｐ２Ｐ）ワイヤレスフィデリティ（Ｗｉ−Ｆｉ）リンク１０６ｂを使用して通信することができる。
【００６２】
グループオーナ（ＧＯ）１００２は、トンネリング直接リンク設定（ＴＤＬＳ）直接リンク１０８が、ピアツーピア（Ｐ２Ｐ）ネットワーク中で設定されないように防止するために、トンネリング直接リンク設定（ＴＤＬＳ）設定リクエスト１０２２のメッセージをフィルタリングして、トンネリング直接リンク設定（ＴＤＬＳ）直接リンク１０８が不許可であることを示す、トンネリング直接リンク設定（ＴＤＬＳ）設定レスポンス１０２６のメッセージを送ることができる。トンネリング直接リンク設定（ＴＤＬＳ）直接リンク１０８は、セキュリティとネットワーク管理容易性（たとえば、ふくそう制御）のために、特定のピアツーピア（Ｐ２Ｐ）ネットワークと、特定のピアツーピア（Ｐ２Ｐ）ワイヤレスフィデリティ（Ｗｉ−Ｆｉ）ネットワークと、または基本サービスセット（ＢＳＳ: basic service set）とに対して許可されないことがある。たとえば、アクセスポイント（ＡＰ）は、基本サービスセット（ＢＳＳ）中に流れる、すべてのトラフィックを見る、および／または制御することを求める場合がある。
【００６３】
グループオーナ（ＧＯ）１００２が、第１のトンネリング直接リンク設定（ＴＤＬＳ）設定リクエスト１０２２ａを、第１のクライアント局１００４ａから受け取ったとき、グループオーナ（ＧＯ）１００２は、トンネリング直接リンク設定（ＴＤＬＳ）直接リンク１０８が不許可であることを示す、第１のトンネリング直接リンク設定（ＴＤＬＳ）設定レスポンス１０２６ａ、または他の適切なステータスコードを第１のクライアント局１００４ａに送ることができる。同様に、グループオーナ（ＧＯ）１００２が、第２のトンネリング直接リンク設定（ＴＤＬＳ）設定リクエスト１０２２ｂを、第２のクライアント局１００４ｂから受け取ったとき、グループオーナ（ＧＯ）１００２は、トンネリング直接リンク設定（ＴＤＬＳ）直接リンク１０８が不許可であることを示す、第２のトンネリング直接リンク設定（ＴＤＬＳ）設定レスポンス１０２６ｂ、または他の適切なステータスコードを第２のクライアント局１００４ｂに送ることができる。
【００６４】
図１１に、グループオーナ（ＧＯ）１１０２内に含めることができる、ある決まった構成要素を示す。また、グループオーナ（ＧＯ）１１０２は、アクセスポイント、ブロードキャスト送信機、ノードＢ、次世代ノードＢなどとして呼ばれることがあり、そしてそれらの機能のいくらか、またはすべてを含むことができる。グループオーナ（ＧＯ）１１０２は、プロセッサ１１０３を含む。プロセッサ１１０３は、汎用のシングルチップまたはマルチチップのマイクロプロセッサ（たとえば、ＡＲＭ）、専用マイクロプロセッサ（たとえば、デジタルシグナルプロセッサ（ＤＳＰ: digital signal processor））、マイクロコントローラ、プログラマブルゲートアレイなどとすることができる。プロセッサ１１０３は、中央処理装置（ＣＰＵ）として言うことがある。シングルプロセッサ１１０３だけが、図１１のグループオーナ（ＧＯ）１１０２中に示されているとはいえ、代替の構成では、プロセッサの組み合わせ（たとえば、ＡＲＭとＤＳＰ）を使用することができるはずである。
【００６５】
また、グループオーナ（ＧＯ）１１０２は、メモリ１１０５を含む。メモリ１１０５は、電子情報を格納することが可能な、どのような電子的な構成要素であってもよい。メモリ１１０５は、ランダムアクセスメモリ（ＲＡＭ）、リードオンリメモリ（ＲＯＭ）、磁気ディスク記憶媒体、光記憶媒体、ＲＡＭ中のフラッシュメモリデバイス、プロセッサとともに組み込まれたオンボードメモリ、ＥＰＲＯＭメモリ、ＥＥＰＲＯＭメモリ、レジスタなどとして、それらの組み合わせを含め、具体化することができる。
【００６６】
データ１１０７とインストラクション１１０９は、メモリ１１０５中に格納することができる。インストラクション１１０９は、ここに開示する方法を実施するために、プロセッサ１１０３によって実行可能とすることができる。インストラクション１１０９を実行することは、メモリ１１０５中に格納されるデータ１１０７の使用を含むことができる。プロセッサ１１０３がインストラクション１１０９を実行するとき、インストラクションの様々な一部分１１０９ａをプロセッサ１１０３にロードすることができ、データの様々な一部分１１０７ａをプロセッサ１１０３にロードすることができる。
【００６７】
また、グループオーナ（ＧＯ）１１０２は、グループオーナ（ＧＯ）１１０２からの、およびそれへの信号の送信と受信が可能になるために、送信機１１１１と、受信機１１１３とを含むことができる。送信機１１１１と受信機１１１３は、総称的にトランシーバ１１１５として呼ぶことができる。トランシーバ１１１５にアンテナ１１１７を電気的に結合することができる。また、グループオーナ（ＧＯ）１１０２は、多くの送信機と、多くの受信機と、多くのトランシーバと、および／または追加のアンテナとを含むことができる（図示せず）。
【００６８】
グループオーナ（ＧＯ）１１０２の様々な構成要素は、１つまたは複数のバスによって互いに結合することができ、そのバスは、パワーバス、制御信号バス、ステータス信号バス、データバスなどを含むことができる。明瞭さのために、様々なバスをバスシステム１１１９として図１１に示す。
【００６９】
図１２に、クライアント局１２０４内に含めることができる、ある決まった構成要素を示す。クライアント局１２０４は、アクセスターミナル、移動局、ユーザ機器（ＵＥ: user equipment）などとすることができる。クライアント局１２０４は、プロセッサ１２０３を含む。プロセッサ１２０３は、汎用のシングルチップまたはマルチチップのマイクロプロセッサ（たとえば、ＡＲＭ）と、専用マイクロプロセッサ（たとえば、デジタルシグナルプロセッサ（ＤＳＰ）、マイクロコントローラ、プログラマブルゲートアレイなどとすることができる。プロセッサ１２０３は、中央処理装置（ＣＰＵ）として言うことがある。シングルプロセッサ１２０３だけが、図１２のクライアント局１２０４中に示されているとはいえ、代替の構成では、プロセッサの組み合わせ（たとえば、ＡＲＭとＤＳＰ）を使用することができるはずである。
【００７０】
また、クライアント局１２０４は、メモリ１２０５を含む。メモリ１２０５は、電子情報を格納することが可能な、どのような電子的な構成要素であってもよい。メモリ１２０５は、ランダムアクセスメモリ（ＲＡＭ）、リードオンリメモリ（ＲＯＭ）、磁気ディスク記憶媒体、光記憶媒体、ＲＡＭ中のフラッシュメモリデバイス、プロセッサとともに組み込まれたオンボードメモリ、ＥＰＲＯＭメモリ、ＥＥＰＲＯＭメモリ、レジスタなどとして、それらの組み合わせを含め、具体化することができる。
【００７１】
データ１２０７とインストラクション１２０９は、メモリ１２０５中に格納することができる。インストラクション１２０９は、ここに開示する方法を実施するために、プロセッサ１２０３によって実行可能とすることができる。インストラクション１２０９を実行することは、メモリ１２０５中に格納されるデータ１２０７の使用を含むことができる。プロセッサ１２０３がインストラクション１２０９を実行するとき、インストラクションの様々な一部分１２０９ａをプロセッサ１２０３にロードすることができ、データの様々な一部分１２０７ａをプロセッサ１２０３にロードすることができる。
【００７２】
また、クライアント局１２０４は、ワイヤレス通信デバイス１２０１からの、およびそれへの信号の送信と受信が可能になるために、送信機１２１１と、受信機１２１３とを含むことができる。送信機１２１１と受信機１２１３は、総称的にトランシーバ１２１５として呼ぶことができる。トランシーバ１２１５にアンテナ１２１７を電気的に結合することができる。また、クライアント局１２０４は、多くの送信機と、多くの受信機と、多くのトランシーバと、および／または追加のアンテナとを含むことができる（図示せず）。
【００７３】
クライアント局１２０４の様々な構成要素は、１つまたは複数のバスによって互いに結合することができ、そのバスは、パワーバス、制御信号バス、ステータス信号バス、データバスなどを含むことができる。明瞭さのために、様々なバスをバスシステム１２１９として図１２に示す。
【００７４】
ここに述べる技術は、直交多重方式に基づく通信システムを含む、様々な通信システムのために使用することができる。かかる通信システムの例には、直交周波数分割多元接続（ＯＦＤＭＡ: Orthogonal Frequency Division Multiple Access）システム、および単一キャリア周波数分割多元接続（ＳＣ−ＦＤＭＡ: Single-Carrier Frequency Division Multiple Access）システムなどが含まれる。ＯＦＤＭＡシステムは、直交周波数分割多重（ＯＦＤＭ: orthogonal frequency division multiplexing）を利用し、それは、全体システムのバンド幅を多くの直交サブキャリアに分割する、変調技術である。また、これらのサブキャリアは、トーン（tone）およびビン（bin）などと呼ぶことがある。ＯＦＤＭによって、各サブキャリアは、データに関し独立して変調することができる。ＳＣ−ＦＤＭＡシステムは、システムバンド幅にわたって分配されるサブキャリアで送信するためのインターリーブＦＤＭＡ（ＩＦＤＭＡ: interleaved FDMA）と、隣接するサブキャリアの１つのブロックで送信するためのローカライズＦＤＭＡ（ＬＦＤＭＡ: localized FDMA）と、または隣接するサブキャリアの多くのブロックで送信するためのエンハンスドＦＤＭＡ（ＥＦＤＭＡ: enhanced FDMA）とを利用することができる。一般に、変調シンボルが、ＯＦＤＭによって周波数ドメイン中で、およびSC-FDMAによって時間ドメイン中で送られる。
【００７５】
用語「決定すること（determining）」は、広範囲な動作を包含し、したがって、用語「決定すること」は、計算、演算、処理、導出、調査、検索（たとえば、テーブル、データベースまたは他のデータ構造の検索）、確認などを含むことができる。また、用語「決定すること」は、受け取ること（たとえば、情報を受け取ること）、アクセスすること（たとえば、メモリ中のデータをアクセスすること）などを含むことができる。また、用語「決定すること」は、分解すること、選別すること、選択すること、確立することなどを含むことができる。
【００７６】
句「に基づく（based on）」は、他に明確に特段の規定がない限り、「だけに基づく（based only on）」ということを意味しない。言い換えると、句「に基づく」は、「だけに基づく（based only on）」と「少なくとも基づく（based at least on）」の両方を意味する。
【００７７】
用語「プロセッサ（processor）」は、汎用プロセッサ、中央処理装置（ＣＰＵ）、マイクロプロセッサ、デジタルシグナルプロセッサ（ＤＳＰ）、コントローラ、マイクロコントローラ、状態機械などを包含するものと広く解釈すべきである。用語「プロセッサ」は、いくつかの環境下では、特定用途向け集積回路（ＡＳＩＣ）、プログラマブルロジックデバイス（ＰＬＤ）、フィールドプログラマブルゲートアレイ（ＦＰＧＡ）などを言うことができる。用語「プロセッサ」は、処理デバイスの組み合わせ、たとえば、DSPとマイクロプロセッサの組み合わせ、複数のマイクロプロセッサ、DSPコアと連結した、１つまたは複数のマイクロプロセッサ、または他のいずれものそのような構成を言うことができる。
【００７８】
用語「メモリ」は、電子情報を格納することが可能な、いずれもの電子構成要素を包含するものと広く解釈すべきである。用語「メモリ」は、ランダムアクセスメモリ（ＲＡＭ）、リードオンリメモリ（ＲＯＭ）、不揮発性ランダムアクセスメモリ（ＮＶＲＡＭ）、プログラマブルリードオンリメモリ（ＰＲＯＭ）、消去可能プログラマブルリードオンリメモリ（ＥＰＲＯＭ）、電気的消去可能ＰＲＯＭ（ＥＥＰＲＯＭ）、フラッシュメモリ、磁気または光データ記憶、レジスタなど、様々なタイプのプロセッサ可読媒体を言うことができる。メモリは、プロセッサが、メモリから情報を読み出す、および／またはそれに情報を書き込むことができる場合、プロセッサと電子的に通信状態にあると言われる。プロセッサに不可欠なメモリは、プロセッサと電子的に通信状態にある。
【００７９】
用語「インストラクション」と「コード」は、いずれものタイプのコンピュータ可読命令文（複数可）を含むものと広く解釈すべきである。たとえば、用語「インストラクション」と「コード」は、１つまたは複数のプログラム、ルーチン、サブルーチン、ファンクション、およびプロシージャなどと言うことができる。用語「インストラクション」と「コード」は、単一のコンピュータ可読命令文または多くのコンピュータ可読命令文を備えることができる。
【００８０】
ここで述べる機能は、ソフトウェアまたはハードウェアによって実行されるファームウェアで実施することができる。機能は、１つまたは複数のインストラクションとしてコンピュータ可読媒体に格納することができる。用語「コンピュータ可読媒体」または「コンピュータプログラム製品」は、コンピュータまたはプロセッサがアクセスすることができる、いずれもの有体の格納媒体を言う。例として、ただし限定するものでなく、コンピュータ可読媒体は、ＲＡＭ、ＲＯＭ、ＥＥＰＲＯＭ、ＣＤ−ＲＯＭまたは他の光ディスク記憶、磁気ディスク記憶または他の磁気ディスク記憶装置、あるいはインストラクションまたはデータ構造の形で所望のプログラムコードを伝える、または格納するために使用することができ、かつコンピュータがアクセスすることができる、他のいずれもの媒体を備えることができる。ディスク（diskおよびdisc）は、ここで使用する際、コンパクトディスク（disc）（ＣＤ）と、レーザディスク（disc）と、光ディスク（disc）と、デジタル多用途ディスク（disc）（ＤＶＤ）と、フロッピディスク（disk）と、ブルーレイ（登録商標）ディスク（disc）とを含み、ただし、ディスク（disk）は、通常、データを磁気的に生成し、一方ディスク（disc）は、レーザを用いて光学的にデータを生成する。
【００８１】
ここで開示した方法は、述べた方法を達成するための１つまたは複数のステップと、または動作とを備える。方法ステップおよび／または動作は、クレームの範囲から逸脱せずに、互いに置き換えることができる。言い換えると、ステップまたは動作の具体的な順序が、述べている方法の適切な運用のために要求されていない限り、具体的なステップおよび／または動作の順序および/または使用は、クレームの範囲から逸脱せずに、修正することができる。
【００８２】
さらに、図２、５〜７、および９に示したような、ここに述べた方法と技術を実施するためのモジュールおよび／または他の適切な手段をダウンロードする、および／または別の方法でデバイスが得ることができることを理解すべきである。たとえば、デバイスは、ここで述べた方法を実施するための手段の転送を容易にするために、サーバに結合することができる。あるいは、ここで述べた様々な方法は、格納手段（たとえば、ランダムアクセスメモリ（ＲＡＭ）、リードオンリメモリ（ＲＯＭ）、コンパクトディスク（ＣＤ）またはフロッピディスクなどの物理的格納媒体）を介して提供することができ、したがってデバイスは、デバイスに格納手段が結合された、または供給されたとき、様々な方法を得ることができる。
【００８３】
クレームは、上記に示した、まさにその構成と構成要素に限定されないことを理解すべきである。クレームの範囲から逸脱せずに、ここで述べたシステムの配置、運用および細部、方法ならびに装置に、様々な修正、変更および変形を実施することができる。
以下に他の実施形態を示す。
［１］第１のクライアント局と第２のクライアント局の間に直接リンクを設定するための方法であって、
前記方法は、前記第１のクライアント局によって実施され、
前記方法は、
グループオーナ（ＧＯ）と、第１のピアツーピア（Ｐ２Ｐ）ワイヤレスリンクを介して通信することと、
前記第１のクライアント局と前記第２のクライアント局の間にトンネリング直接リンク設定（ＴＤＬＳ）直接リンクを設定するかどうかを決定することと、
前記第１のクライアント局と前記第２のクライアント局の間に前記ＴＤＬＳ直接リンクを設定することと、
前記第２のクライアント局と直接、前記ＴＤＬＳ直接リンクを介して通信することとを備える、方法。
［２］前記ワイヤレスリンクは、ワイヤレスフィデリティ（Ｗｉ−Ｆｉ）リンクである、［１］に記載の方法。
［３］前記ＴＤＬＳ直接リンクを設定することは、
ＴＤＬＳ設定リクエストを前記ＧＯに送ることと、
前記ＧＯからＴＤＬＳ設定レスポンスを受け取ることと、
前記ＧＯにＴＤＬＳ設定コンファメイションを送ることとを備える、［１］に記載の方法。
［４］ＴＤＬＳ直接リンクを設定するかどうかを決定することは、ネットワーク条件に基づき、ＴＤＬＳ設定リクエストを生成することを備える、［１］に記載の方法。
［５］前記ネットワーク条件は、前記ＧＯから受け取る信号強度と、前記第２のクライアント局から受け取る信号強度と、前記ＧＯを介するカレントデータ転送速度と、または前記ＴＤＬＳ直接リンクを介する可能なデータ転送速度とを備える、［４］に記載の方法。
［６］前記ネットワーク条件は、チャネル利用可能性を備える、［４］に記載の方法。
［７］前記ネットワーク条件は、前記ＧＯを介する前記第２のクライアント局との通信のための送付待ち時間を備える、［４］に記載の方法。
［８］ＴＤＬＳ直接リンクを設定するかどうかを決定することは、前記ＧＯからＴＤＬＳ設定リクエストを受け取ることを備える、［１］に記載の方法。
［９］前記ＴＤＬＳ直接リンクを設定することは、
前記ＧＯからＴＤＬＳ設定リクエストを受け取ることと、
前記ＧＯにＴＤＬＳ設定レスポンスを送ることと、
前記ＧＯからＴＤＬＳ設定コンファメイションを受け取ることとを備える、［８］に記載の方法。
［１０］前記ＴＤＬＳ設定リクエストと前記ＴＤＬＳ設定コンファメイションは、前記第２のクライアント局によって生成される、［９］に記載の方法。
［１１］前記ＴＤＬＳ設定リクエストと前記ＴＤＬＳ設定コンファメイションは、前記ＧＯによって生成される、［９］に記載の方法。
［１２］前記ＴＤＬＳ設定リクエストは、指定受信者と、前記ＴＤＬＳ直接リンクに関する情報とを備える、［３］に記載の方法。
［１３］前記ＴＤＬＳ設定コンファメイションは、前記ＴＤＬＳ直接リンクのためのチャネルと、前記ＴＤＬＳ直接リンクのための周波数と、または前記ＴＤＬＳ直接リンクのためのタイミング構造とを備える、［３］に記載の方法。
［１４］ＴＤＬＳ分解フレームを前記ＧＯから受け取ることをさらに備え、
前記ＴＤＬＳ分解フレームは、前記ＴＤＬＳ直接リンクを介する通信を終了させる、［１］に記載の方法。
［１５］前記第２のクライアント局は、第２のＰ２Ｐ Ｗｉ−Ｆｉリンクを介して前記ＧＯと通信する、［２］に記載の方法。
［１６］前記ＴＤＬＳ設定レスポンスは、ＴＤＬＳ直接リンクが、不許可であり、ＴＤＬＳ直接リンクは、設定されないことを示す、［３］に記載の方法。
［１７］ＴＤＬＳ分解フレームを前記ＧＯから受け取ることをさらに備え、
前記ＴＤＬＳ分解フレームは、前記ＴＤＬＳ直接リンクを解除する、［１］に記載の方法。
［１８］グループオーナによる直接リンクの設定を制御するための方法であって、
前記方法は、
第１のクライアント局と、第１のピアツーピア（Ｐ２Ｐ）ワイヤレスリンクを介して通信することと、
第２のクライアント局と、第２の（Ｐ２Ｐ）ワイヤレスリンクを介して通信することと、
第１のＴＤＬＳ設定リクエストを前記第１のクライアント局に送ることと、
第１のＴＤＬＳ設定レスポンスを前記第１のクライアント局から受け取ることと、      第１のＴＤＬＳ設定コンファメイションを前記第１のクライアント局に送ることとを備える、方法。
［１９］前記第１のＰ２Ｐワイヤレスリンクは、ワイヤレスフィデリティ（Ｗｉ−Ｆｉ）リンクであり、
前記第２のＰ２Ｐワイヤレスリンクは、Ｗｉ−Ｆｉリンクである、［１８］に記載の方法。
［２０］前記第１のＴＤＬＳ設定リクエストは、前記第２のクライアント局から受け取り済であり、
前記第１のＴＤＬＳ設定コンファメイションは、前記第２のクライアント局から受け取り済であり、
前記第１のＴＤＬＳ設定レスポンスを前記第２のクライアント局に送ることをさらに備える、［１８］に記載の方法。
［２１］第１のＴＤＬＳ分解フレームを前記第１のクライアント局に送ることと、
第２のＴＤＬＳ分解フレームを前記第２のクライアント局に送ることとをさらに備える、［２０］に記載の方法。
［２２］前記第１のＴＤＬＳ設定リクエストは、前記ＧＯによって生成済であり、
前記第１のＴＤＬＳ設定コンファメイションは、前記ＧＯによって生成済であり、
さらに、
第２のＴＤＬＳ設定リクエストを前記第２のクライアント局に送ることと、
第２のＴＤＬＳ設定レスポンスを前記第２のクライアント局から受け取ることと、      第２のＴＤＬＳ設定コンファメイションを前記第２のクライアント局に送ることとを備える、［１８］に記載の方法。
［２３］前記第１のクライアント局は、前記第２のＴＤＬＳ設定レスポンスの指定受信者であり、  前記ＧＯは、前記第２のＴＤＬＳ設定レスポンスを前記第１のクライアント局に送付しない、［２２］に記載の方法。
［２４］前記第２のＴＤＬＳ設定レスポンスは、前記第２のクライアント局によって生成済である、［２２］に記載の方法。
［２５］前記第２のクライアント局は、前記第１のＴＤＬＳ設定レスポンスの指定受信者であり、  前記ＧＯは、前記第１のＴＤＬＳ設定レスポンスを前記第２のクライアント局に送付しない、［１８］に記載の方法。
［２６］前記第１のＴＤＬＳ設定レスポンスは、前記第１のクライアント局によって生成済である、［１８］に記載の方法。
［２７］直接リンクを設定するように構成されるワイヤレスデバイスであって、
プロセッサと、
前記プロセッサと電子的に通信状態にあるメモリと、
前記メモリ中に格納されるインストラクションであって、前記インストラクションは、      グループオーナ（ＧＯ）と、第１のピアツーピア（Ｐ２Ｐ）ワイヤレスリンクを介して通信するために、
第１のクライアント局と第２のクライアント局の間にトンネリング直接リンク設定（ＴＤＬＳ）直接リンクを設定するかどうかを決定するために、
前記第１のクライアント局と前記第２のクライアント局の間に前記ＴＤＬＳ直接リンクを設定するために、かつ、
前記第２のクライアント局と直接、前記ＴＤＬＳ直接リンクを介して通信するために、
前記プロセッサによって実行可能である、インストラクションとを備える、ワイヤレスデバイス。
［２８］前記第１のＰ２Ｐワイヤレスリンクは、ワイヤレスフィデリティ（Ｗｉ−Ｆｉ）リンクである、［２７］に記載のワイヤレスデバイス。
［２９］前記ＴＤＬＳ直接リンクを設定することは、
ＴＤＬＳ設定リクエストを前記ＧＯに送ることと、
ＴＤＬＳ設定レスポンスを前記ＧＯから受け取ることと、
ＴＤＬＳ設定コンファメイションを前記ＧＯに送ることとを備える、請求項２７に記載のワイヤレスデバイス。
［３０］ＴＤＬＳ直接リンクを設定するかどうかを決定することは、ネットワーク条件に基づき、ＴＤＬＳ設定リクエストを生成することを備える、［２７］に記載のワイヤレスデバイス。
［３１］前記ネットワーク条件は、前記ＧＯから受け取る信号強度と、前記第２のクライアント局から受け取る信号強度と、前記ＧＯを介するカレントデータ転送速度と、または前記ＴＤＬＳ直接リンクを介する可能なデータ転送速度とを備える、［３０］に記載のワイヤレスデバイス。
［３２］前記ネットワーク条件は、チャネル利用可能性を備える、［３０］に記載のワイヤレスデバイス。
［３３］前記ネットワーク条件は、前記ＧＯを介する前記第２のクライアント局との通信のための送付待ち時間を備える、［３０］に記載のワイヤレスデバイス。
［３４］ＴＤＬＳ直接リンクを設定するかどうかを決定することは、ＴＤＬＳ設定リクエストを前記ＧＯから受け取ることを備える、［２７］に記載のワイヤレスデバイス。
［３５］前記ＴＤＬＳ直接リンクを設定することは、
ＴＤＬＳ設定リクエストを前記ＧＯから受け取ることと、
ＴＤＬＳ設定レスポンスを前記ＧＯに送ることと、
ＴＤＬＳ設定コンファメイションを前記ＧＯから受け取ることとを備える、［３４］に記載のワイヤレスデバイス。
［３６］前記ＴＤＬＳ設定リクエストと前記ＴＤＬＳ設定コンファメイションは、前記第２のクライアント局によって生成される、［３５］に記載のワイヤレスデバイス。
［３７］前記ＴＤＬＳ設定リクエストと前記ＴＤＬＳ設定コンファメイションは、前記ＧＯによって生成される、［３５］に記載のワイヤレスデバイス。
［３８］前記ＴＤＬＳ設定リクエストは、指定受信者と、前記ＴＤＬＳ直接リンクに関する情報とを備える、［２９］に記載のワイヤレスデバイス。
［３９］前記ＴＤＬＳ設定コンファメイションは、前記ＴＤＬＳ直接リンクのためのチャネルと、前記ＴＤＬＳ直接リンクのための周波数と、または前記ＴＤＬＳ直接リンクのためのタイミング構造とを備える、［２９］に記載のワイヤレスデバイス。
［４０］前記インストラクションは、ＴＤＬＳ分解フレームを前記ＧＯから受け取るために、さらに実行可能であり、
前記ＴＤＬＳ分解フレームは、前記ＴＤＬＳ直接リンクを介する通信を終了させる、［２７］に記載のワイヤレスデバイス。
［４１］前記第２のクライアント局は、第２のＰ２Ｐ Ｗｉ−Ｆｉリンクを介して前記ＧＯと通信する、［２８］に記載のワイヤレスデバイス。
［４２］前記ＴＤＬＳ設定レスポンスは、ＴＤＬＳ直接リンクが、不許可であり、ＴＤＬＳ直接リンクは、設定されないことを示す、［２９］に記載のワイヤレスデバイス。
［４３］前記インストラクションは、ＴＤＬＳ分解フレームを前記ＧＯから受け取るために、さらに実行可能であり、
前記ＴＤＬＳ分解フレームは、前記ＴＤＬＳ直接リンクを解除する、［２７］に記載のワイヤレスデバイス。
［４４］前記ワイヤレスデバイスは、前記第１のクライアント局である、［２７］に記載のワイヤレスデバイス。
［４５］直接リンクを設定するように構成されるワイヤレスデバイスであって、
グループオーナ（ＧＯ）と、第１のピアツーピア（Ｐ２Ｐ）ワイヤレスリンクを介して通信するための手段と、
第１のクライアント局と第２のクライアント局の間にトンネリング直接リンク設定（ＴＤＬＳ）直接リンクを設定するかどうかを決定するための手段と、
前記第１のクライアント局と前記第２のクライアント局の間に前記ＴＤＬＳ直接リンクを設定するための手段と、
前記第２のクライアント局と直接、前記ＴＤＬＳ直接リンクを介して通信するための手段とを備える、ワイヤレスデバイス。
［４６］直接リンクを設定するように構成されるワイヤレスデバイスのためのコンピュータプログラム製品であって、前記コンピュータプログラム製品は、インストラクションをそこに有するコンピュータ可読媒体を備え、
前記インストラクションは、
グループオーナ（ＧＯ）と、第１のピアツーピア（Ｐ２Ｐ）ワイヤレスリンクを介して通信するためのコードと、
第１のクライアント局と第２のクライアント局の間にトンネリング直接リンク設定（ＴＤＬＳ）直接リンクを設定するかどうかを決定するためのコードと、
前記第１のクライアント局と前記第２のクライアント局の間に前記ＴＤＬＳ直接リンクを設定するためのコードと、
前記第２のクライアント局と直接、前記ＴＤＬＳ直接リンクを介して通信するためのコードとを備える、コンピュータプログラム製品。
【図１】
0005536213.tif 000009
【図２】
0005536213.tif 000010
【図３】
0005536213.tif 000011
【図４】
0005536213.tif 000012
【図５】
0005536213.tif 000013
【図６】
0005536213.tif 000014
【図７】
0005536213.tif 000015
【図８】
0005536213.tif 000016
【図９】
0005536213.tif 000017
【図１０】
0005536213.tif 000018
【図１１】
0005536213.tif 000019
【図１２】
0005536213.tif 000020